(57)【要約】通信方法、端末機器およびネットワーク機器である。方法は、端末機器が指示情報を取得し、指示情報は、コアネットワーク機器によって端末機器に送信され、又は端末機器で事前設定され、端末機器が第１の無線アクセス技術ＲＡＴに対応するアクセスネットワーク機器を介してネットワーク側と通信することを指示するために使用される。コアネットワーク機器が第１のＲＡＴを含む２種以上のＲＡＴに対応するアクセスネットワーク機器と接続され、端末機器が２種以上のＲＡＴをサポートし、第１のＲＡＴに対応するアクセスネットワーク機器を利用してネットワーク側と通信する。通信方法、端末機器およびネットワーク機器は、端末機器が多種のＲＡＴに対応するアクセスネットワーク機器を介して同じコアネットワーク機器にアクセスする場合、端末機器とネットワーク側との間の通信でき、端末機器とネットワーク側との間の通信を柔軟にする。【選択図】図３
2021534635.tif 000002
【特許請求の範囲】
【請求項１】
通信方法であって、
端末機器が指示情報を取得し、前記指示情報がコアネットワーク機器によって前記端末機器に送信されるか、または前記端末機器で事前設定されるものであり、前記指示情報は、前記端末機器が第１の無線アクセス技術ＲＡＴに対応するアクセスネットワーク機器を介してネットワーク側と通信することを指示するために使用され、
前記コアネットワーク機器が、少なくとも２種のＲＡＴに対応するアクセスネットワーク機器と接続され、前記端末機器が、前記少なくとも２種のＲＡＴをサポートし、前記少なくとも２種のＲＡＴが前記第１のＲＡＴを含むことと、
前記端末機器が前記第１のＲＡＴに対応するアクセスネットワーク機器を利用して前記ネットワーク側と通信することと、を含むことを特徴とする通信方法。
【請求項２】
前記端末機器が前記第１のＲＡＴに対応するアクセスネットワーク機器を利用してネットワーク側と通信することは、
前記端末機器が第２のＲＡＴに対応するアクセスネットワーク機器との通信を維持する場合、前記端末機器が、前記第１のＲＡＴに対応するアクセスネットワーク機器を利用して前記ネットワーク側と通信することを含み、前記少なくとも２種のＲＡＴが前記第２のＲＡＴを含むことを特徴とする請求項１に記載の方法。
【請求項３】
前記端末機器が前記第２のＲＡＴに対応するアクセスネットワーク機器と通信するために使用する周波数帯域は、前記端末機器が前記第１のＲＡＴに対応するアクセスネットワーク機器と通信するために使用する周波数帯域とは異なることを特徴とする請求項２に記載の方法。
【請求項４】
前記指示情報が前記コアネットワーク機器によって前記端末機器に送信される場合、前記指示情報がページングメッセージに含まれることを特徴とする請求項１〜請求項３のいずれか１項に記載の方法。
【請求項５】
前記ページングメッセージが前記第１のＲＡＴに対応するアクセスネットワーク機器から送信されることを特徴とする請求項４に記載の方法。
【請求項６】
前記指示情報が前記コアネットワーク機器によって前記端末機器に送信される場合、前記指示情報が前記コアネットワーク機器によって送信される非アクセス層ＮＡＳメッセージに含まれることを特徴とする請求項１〜請求項３のいずれか１項に記載の方法。
【請求項７】
前記端末機器が前記第１のＲＡＴに対応するアクセスネットワーク機器を利用して前記ネットワーク側と通信することは、
前記端末機器が、前記指示情報を取得した後、前記第１のＲＡＴに対応するアクセスネットワーク機器のみを選択して前記ネットワーク側と通信することを含むことを特徴とする請求項１に記載の方法。
【請求項８】
前記端末機器が前記第１のＲＡＴに対応するアクセスネットワーク機器を利用して前記ネットワーク側と通信することは、
前記端末機器が、前記ネットワーク側と通信するエリアを決定し、前記エリアが、前記第１のＲＡＴに対応する少なくとも１つのアクセスネットワーク機器を含むことと、
前記端末機器が、前記少なくとも１つのアクセスネットワーク機器の１つを利用して前記ネットワーク側と通信することと、を含むことを特徴とする請求項１〜請求項７のいずれか１項に記載の方法。
【請求項９】
前記端末機器が前記ネットワーク側と通信するエリアを決定することは、
前記端末機器が、事前設定または前記コアネットワーク機器からのメッセージに基づいて前記エリアを決定することを含むことを特徴とする請求項８に記載の方法。
【請求項１０】
前記コアネットワーク機器からの前記メッセージが前記指示情報をさらに含むことを特徴とする請求項９に記載の方法。
【請求項１１】
通信方法であって、
コアネットワーク機器が端末機器に指示情報を送信し、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを含むことを特徴とする通信方法。
【請求項１２】
前記コアネットワーク機器がモビリティ管理機能ＡＭＦであることを特徴とする請求項１１に記載の方法。
【請求項１３】
前記コアネットワーク機器が端末機器に指示情報を送信することは、
前記ＡＭＦがセッション管理機能ＳＭＦによって送信される前記指示情報を受信することと、
前記ＡＭＦが少なくとも１つのアクセスネットワーク機器を介して前記端末機器に前記指示情報を送信することと、を含むことを特徴とする請求項１２に記載の方法。
【請求項１４】
前記少なくとも１つのアクセスネットワーク機器が前記第１のＲＡＴに対応するアクセスネットワーク機器を含むことを特徴とする請求項１３に記載の方法。
【請求項１５】
前記少なくとも１つのアクセスネットワーク機器が、前記端末機器の登録エリア内のすべての第１のＲＡＴに対応するアクセスネットワーク機器またはすべてのアクセスネットワーク機器であることを特徴とする請求項１３または請求項１４に記載の方法。
【請求項１６】
前記方法はさらに、
現在前記端末機器にサービスを提供しているアクセスネットワーク機器に対応するＲＡＴが前記第１のＲＡＴでない場合、前記ＡＭＦが現在前記端末機器にサービスを提供している前記アクセスネットワーク機器に第２の指示切り替え情報を送信し、前記切り替え情報は、現在前記端末機器にサービスを提供している前記アクセスネットワーク機器が、前記端末機器にサービスを提供している前記アクセスネットワーク機器から前記第１のＲＡＴに対応するアクセスネットワーク機器に切り替えるために、前記端末機器の切り替えをトリガーすることを指示するために使用されることを含むことを特徴とする請求項１２〜請求項１５のいずれか１項に記載の方法。
【請求項１７】
前記指示情報がページングメッセージに含まれ、または
前記指示情報が非アクセス層ＮＡＳメッセージに含まれることを特徴とする請求項１２〜請求項１６のいずれか１項に記載の方法。
【請求項１８】
前記方法はさらに、
前記コアネットワーク機器が前記端末機器にメッセージ送信し、前記コアネットワーク機器によって送信されるメッセージは、前記端末機器が前記ネットワーク側と通信するエリアを指示するために使用されることを含むことを特徴とする請求項１１〜請求項１７のいずれか１項に記載の方法。
【請求項１９】
前記コアネットワーク機器によって送信されるメッセージが前記指示情報を含むことを特徴とする請求項１８に記載の方法。
【請求項２０】
通信方法であって、
コアネットワーク機器がアクセスネットワーク機器に指示情報を送信し、前記指示情報は、端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを含むことを特徴とする通信方法。
【請求項２１】
前記指示情報がページングメッセージに含まれることを特徴とする請求項２０に記載の方法。
【請求項２２】
前記アクセスネットワーク機器が、前記端末機器の登録エリア内のすべての第１のＲＡＴに対応するアクセスネットワーク機器またはすべてのアクセスネットワーク機器であることを特徴とする請求項２１に記載の方法。
【請求項２３】
前記端末機器が接続状態にあるとき、前記アクセスネットワーク機器が、前記第１のＲＡＴ以外のＲＡＴに対応するアクセスネットワーク機器であることを特徴とする請求項２０に記載の方法。
【請求項２４】
前記方法はさらに、
前記コアネットワーク機器が前記アクセスネットワーク機器にメッセージを送信し、前記コアネットワーク機器によって送信されるメッセージは、前記端末機器が前記ネットワーク側と通信するエリアを指示するために使用されることを含むことを特徴とする請求項２０〜請求項２３のいずれか１項に記載の方法。
【請求項２５】
前記コアネットワーク機器によって送信されるメッセージが前記指示情報を含むことを特徴とする請求項２４に記載の方法。
【請求項２６】
通信方法であって、
アクセスネットワーク機器がコアネットワーク機器によって送信された指示情報を受信し、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを含むことを特徴とする通信方法。
【請求項２７】
前記指示情報がページングメッセージに含まれることを特徴とする請求項２６に記載の方法。
【請求項２８】
前記アクセスネットワーク機器が、前記端末機器の登録エリア内のすべての第１のＲＡＴに対応するアクセスネットワーク機器またはすべてのアクセスネットワーク機器であることを特徴とする請求項２７に記載の方法。
【請求項２９】
前記端末機器が接続状態にあるとき、前記アクセスネットワーク機器が、前記第１のＲＡＴ以外のＲＡＴに対応するアクセスネットワーク機器であることを特徴とする請求項２６に記載の方法。
【請求項３０】
前記方法はさらに、
前記アクセスネットワーク機器が前記コアネットワーク機器によって送信されるメッセージを受信し、前記アクセスネットワーク機器によって受信されるメッセージは、前記端末機器が前記ネットワーク側と通信するエリアを指示するために使用されることを含むことを特徴とする請求項２６〜請求項２９のいずれか１項に記載の方法。
【請求項３１】
前記アクセスネットワーク機器によって受信されるメッセージが前記指示情報を含むことを特徴とする請求項３０に記載の方法。
【請求項３２】
端末機器であって、
指示情報を取得するための処理ユニットであって、前記指示情報が、コアネットワーク機器によって前記端末機器に送信されるか、または前記端末機器で事前設定されたものであり、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含む処理ユニットと、
前記第１のＲＡＴに対応するアクセスネットワーク機器を利用して前記ネットワーク側と通信するための通信ユニットと、を含むことを特徴とする端末機器。
【請求項３３】
前記通信ユニットは具体的に、
第２のＲＡＴに対応するアクセスネットワーク機器との通信を維持する場合、前記第１のＲＡＴに対応するアクセスネットワーク機器を利用して前記ネットワーク側と通信するために使用され、そのうち、前記少なくとも２種のＲＡＴが前記第２のＲＡＴを含むことを特徴とする請求項３２に記載の端末機器。
【請求項３４】
前記第２のＲＡＴに対応するアクセスネットワーク機器と通信するために使用される周波数帯域は、前記第１のＲＡＴに対応するアクセスネットワーク機器と通信するために使用される周波数帯域とは異なることを特徴とする請求項３３に記載の端末機器。
【請求項３５】
前記指示情報が前記コアネットワーク機器によって前記端末機器に送信される場合、前記指示情報がページングメッセージに含まれることを特徴とする請求項３２〜請求項３４のいずれか１項に記載の端末機器。
【請求項３６】
前記ページングメッセージが前記第１のＲＡＴに対応するアクセスネットワーク機器から送信されることを特徴とする請求項３５に記載の端末機器。
【請求項３７】
前記指示情報が前記コアネットワーク機器によって前記端末機器に送信される場合、前記指示情報が前記コアネットワーク機器によって送信される非アクセス層ＮＡＳメッセージに含まれることを特徴とする請求項３２〜請求項３４のいずれか１項に記載の端末機器。
【請求項３８】
前記通信ユニットは具体的に、
前記処理ユニットが前記指示情報を取得した後、前記第１のＲＡＴに対応するアクセスネットワーク機器のみを選択して前記ネットワーク側と通信するために使用されることを特徴とする請求項３２に記載の端末機器。
【請求項３９】
前記処理ユニットはさらに、
前記ネットワーク側と通信するエリアを決定するために使用され、前記エリアが前記第１のＲＡＴに対応する少なくとも１つのアクセスネットワーク機器を含み、
前記通信ユニットは、具体的に、
前記少なくとも１つのアクセスネットワーク機器の１つを利用して前記ネットワーク側と通信するために使用されることを特徴とする請求項３２〜請求項３８のいずれか１項に記載の端末機器。
【請求項４０】
前記処理ユニットは具体的に、
事前設定または前記コアネットワーク機器から送信されるメッセージに基づいて前記エリアを決定するために使用されることを特徴とする請求項３９に記載の端末機器。
【請求項４１】
前記コアネットワーク機器から送信される前記メッセージは前記指示情報をさらに含むことを特徴とする請求項４０に記載の端末機器。
【請求項４２】
コアネットワーク機器であって、
端末機器に指示情報を送信するための通信ユニットを含み、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを特徴とするコアネットワーク機器。
【請求項４３】
前記コアネットワーク機器がモビリティ管理機能ＡＭＦであることを特徴とする請求項４２に記載のコアネットワーク機器。
【請求項４４】
前記通信ユニットは具体的に、
セッション管理機能ＳＭＦによって送信される前記指示情報を受信し、
少なくとも１つのアクセスネットワーク機器を介して前記端末機器に前記指示情報を送信するために使用されることを特徴とする請求項４３に記載のコアネットワーク機器。
【請求項４５】
前記少なくとも１つのアクセスネットワーク機器が前記第１のＲＡＴに対応するアクセスネットワーク機器を含むことを特徴とする請求項４４に記載のコアネットワーク機器。
【請求項４６】
前記少なくとも１つのアクセスネットワーク機器が、前記端末機器の登録エリア内のすべての第１のＲＡＴに対応するアクセスネットワーク機器またはすべてのアクセスネットワーク機器であることを特徴とする請求項４４または請求項４５に記載のコアネットワーク機器。
【請求項４７】
前記通信ユニットはさらに、
現在前記端末機器にサービスを提供しているアクセスネットワーク機器に対応するＲＡＴが前記第１のＲＡＴでない場合、現在前記端末機器にサービスを提供している前記アクセスネットワーク機器に切り替え情報を送信するために使用され、前記切り替え情報は、現在前記端末機器にサービスを提供している前記アクセスネットワーク機器が、現在前記端末機器にサービスを提供している前記アクセスネットワーク機器から前記第１のＲＡＴに対応するアクセスネットワーク機器に切り替えるために、前記端末機器の切り替えをトリガーすることを指示するために使用されることを特徴とする請求項４３〜請求項４６のいずれか１項に記載のコアネットワーク機器。
【請求項４８】
前記指示情報がページングメッセージに含まれ、または
前記指示情報が非アクセス層ＮＡＳメッセージに含まれることを特徴とする請求項４３〜請求項４７のいずれか１項に記載のコアネットワーク機器。
【請求項４９】
前記通信ユニットはさらに、
前記端末機器にメッセージを送信するために使用され、前記メッセージは、前記端末機器が前記ネットワーク側と通信するエリアを指示するために使用されることを特徴とする請求項４２〜請求項４８のいずれか１項に記載のコアネットワーク機器。
【請求項５０】
前記メッセージが前記指示情報を含むことを特徴とする請求項４９に記載のコアネットワーク機器。
【請求項５１】
コアネットワーク機器であって、
アクセスネットワーク機器に指示情報を送信するための通信ユニットを含み、前記指示情報は、端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを特徴とするコアネットワーク機器。
【請求項５２】
前記指示情報がページングメッセージに含まれることを特徴とする請求項５１に記載のコアネットワーク機器。
【請求項５３】
前記アクセスネットワーク機器が、前記端末機器の登録エリア内のすべての第１のＲＡＴに対応するアクセスネットワーク機器またはすべてのアクセスネットワーク機器であることを特徴とする請求項５２に記載のコアネットワーク機器。
【請求項５４】
前記端末機器が接続状態にあるとき、前記アクセスネットワーク機器が、前記第１のＲＡＴ以外のＲＡＴに対応するアクセスネットワーク機器であることを特徴とする請求項５１に記載のコアネットワーク機器。
【請求項５５】
前記通信ユニットはさらに、
前記アクセスネットワーク機器にメッセージを送信するために使用され、前記メッセージは、前記端末機器が前記ネットワーク側と通信するエリアを指示するために使用されることを特徴とする請求項５１〜請求項５４のいずれか１項に記載のコアネットワーク機器。
【請求項５６】
前記メッセージが前記指示情報を含むことを特徴とする請求項５５に記載のコアネットワーク機器。
【請求項５７】
アクセスネットワーク機器であって、
コアネットワーク機器によって送信された指示情報を受信するための通信ユニットを含み、前記指示情報は、端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器と接続され、前記端末機器が前記少なくとも２種のＲＡＴをサポートし、前記少なくとも２種のＲＡＴが前記第１のＲＡＴを含むことを特徴とするアクセスネットワーク機器。
【請求項５８】
前記指示情報がページングメッセージに含まれることを特徴とする請求項５７に記載のアクセスネットワーク機器。
【請求項５９】
前記アクセスネットワーク機器が、前記端末機器の登録エリア内のすべての第１のＲＡＴに対応するアクセスネットワーク機器またはすべてのアクセスネットワーク機器であることを特徴とする請求項５８に記載のアクセスネットワーク機器。
【請求項６０】
前記端末機器が接続状態にあるとき、前記アクセスネットワーク機器が、前記第１のＲＡＴ以外のＲＡＴに対応するアクセスネットワーク機器であることを特徴とする請求項５８に記載のアクセスネットワーク機器。
【請求項６１】
前記通信ユニットはさらに、
前記コアネットワーク機器によって送信されるメッセージを受信するために使用され、前記メッセージは、前記端末機器が前記ネットワーク側と通信するエリアを指示するために使用されることを特徴とする請求項５７〜請求項６０のいずれか１項に記載のアクセスネットワーク機器。
【請求項６２】
前記メッセージが前記指示情報を含むことを特徴とする請求項６１に記載のアクセスネットワーク機器。
【請求項６３】
端末機器であって、プロセッサおよびメモリを含み、前記メモリが、コンピュータプログラムを記憶するために使用され、前記プロセッサが、前記メモリに記憶されるコンピュータプログラムを呼び出して実行し、請求項１〜１０のいずれか一項に記載の方法を実行するために使用されることを特徴とする端末機器。
【請求項６４】
コアネットワーク機器であって、プロセッサおよびメモリを含み、前記メモリが、コンピュータプログラムを記憶するために使用され、前記プロセッサが、前記メモリに記憶されるコンピュータプログラムを呼び出して実行し、請求項１１〜１９のいずれか一項に記載の方法を実行するために使用されることを特徴とするコアネットワーク機器。
【請求項６５】
コアネットワーク機器であって、プロセッサおよびメモリを含み、前記メモリが、コンピュータプログラムを記憶するために使用され、前記プロセッサが、前記メモリに記憶されるコンピュータプログラムを呼び出して実行し、請求項２０〜２５のいずれか一項に記載の方法を実行するために使用されることを特徴とするコアネットワーク機器。
【請求項６６】
アクセスネットワーク機器であって、プロセッサおよびメモリを含み、前記メモリが、コンピュータプログラムを記憶するために使用され、前記プロセッサが、前記メモリに記憶されるコンピュータプログラムを呼び出して実行し、請求項２６〜３１のいずれか一項に記載の方法を実行するために使用されることを特徴とするアクセスネットワーク機器。
【請求項６７】
チップであって、プロセッサを含み、前記プロセッサは、メモリからコンピュータプログラムを呼び出して実行することにより、前記チップを搭載する機器に、請求項１〜１０のいずれかに記載の方法を実行させるために使用されることを特徴とするチップ。
【請求項６８】
チップであって、プロセッサを含み、前記プロセッサは、メモリからコンピュータプログラムを呼び出して実行することにより、前記チップを搭載する機器に、請求項１１〜１９のいずれかに記載の方法を実行させるために使用されることを特徴とするチップ。
【請求項６９】
チップであって、プロセッサを含み、前記プロセッサは、メモリからコンピュータプログラムを呼び出して実行することにより、前記チップを搭載する機器に、請求項２０〜２５のいずれかに記載の方法を実行させるために使用されることを特徴とするチップ。
【請求項７０】
チップであって、プロセッサを含み、前記プロセッサは、メモリからコンピュータプログラムを呼び出して実行することにより、前記チップを搭載する機器に、請求項２６〜３１のいずれかに記載の方法を実行させるために使用されることを特徴とするチップ。
【請求項７１】
コンピュータ可読記憶媒体であって、コンピュータプログラムを記憶するために使用され、前記コンピュータプログラムにより、コンピュータに請求項１〜１０のいずれかに記載の方法を実行させることを特徴とするコンピュータ可読記憶媒体。
【請求項７２】
コンピュータ可読記憶媒体であって、コンピュータプログラムを記憶するために使用され、前記コンピュータプログラムにより、コンピュータに請求項１１〜１９のいずれかに記載の方法を実行させることを特徴とするコンピュータ可読記憶媒体。
【請求項７３】
コンピュータ可読記憶媒体であって、コンピュータプログラムを記憶するために使用され、前記コンピュータプログラムにより、コンピュータに請求項２０〜２５のいずれかに記載の方法を実行させることを特徴とするコンピュータ可読記憶媒体。
【請求項７４】
コンピュータ可読記憶媒体であって、コンピュータプログラムを記憶するために使用され、前記コンピュータプログラムにより、コンピュータに請求項２６〜３１のいずれかに記載の方法を実行させることを特徴とするコンピュータ可読記憶媒体。
【請求項７５】
コンピュータプログラム製品であって、コンピュータプログラム命令を含み、当該コンピュータプログラム命令により、コンピュータに請求項１〜１０のいずれかに記載の方法を実行させることを特徴とするコンピュータプログラム製品。
【請求項７６】
コンピュータプログラム製品であって、コンピュータプログラム命令を含み、当該コンピュータプログラム命令により、コンピュータに請求項１１〜１９のいずれかに記載の方法を実行させることを特徴とするコンピュータプログラム製品。
【請求項７７】
コンピュータプログラム製品であって、コンピュータプログラム命令を含み、当該コンピュータプログラム命令により、コンピュータに請求項２０〜２５のいずれかに記載の方法を実行させることを特徴とするコンピュータプログラム製品。
【請求項７８】
コンピュータプログラム製品であって、コンピュータプログラム命令を含み、当該コンピュータプログラム命令により、コンピュータに請求項２６〜３１のいずれかに記載の方法を実行させることを特徴とするコンピュータプログラム製品。
【請求項７９】
コンピュータプログラムであって、前記コンピュータプログラムにより、コンピュータに請求項１〜１０のいずれかに記載の方法を実行させることを特徴とするコンピュータプログラム。
【請求項８０】
コンピュータプログラムであって、前記コンピュータプログラムにより、コンピュータに請求項１１〜１９のいずれかに記載の方法を実行させることを特徴とするコンピュータプログラム。
【請求項８１】
コンピュータプログラムであって、前記コンピュータプログラムにより、コンピュータに請求項２０〜２５のいずれかに記載の方法を実行させることを特徴とするコンピュータプログラム。
【請求項８２】
コンピュータプログラムであって、前記コンピュータプログラムにより、コンピュータに請求項２６〜３１のいずれかに記載の方法を実行させることを特徴とするコンピュータプログラム。
【発明の詳細な説明】
【技術分野】
【０００１】
本願は、２０１８年８月１４日に中国特許局に提出された、出願番号が２０１８１０９２３１６１．６であり、発明の名称が「通信方法、端末機器およびネットワーク機器」であるＰＣＴ出願の優先権を主張し、その内容全体が援用により本願に組み込まれる。
本願の実施例は、通信技術の分野に関し、特に通信方法、端末機器及びネットワーク機器に関する。
【背景技術】
【０００２】
第５世代のモバイル通信技術（５−Ｇｅｎｅｒａｔｉｏｎ、５Ｇ）システムでは、端末機器は、進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）又は新無線（Ｎｅｗ  Ｒａｄｉｏ、ＮＲ）を通じて５Ｇコアネットワーク機器にアクセスすることができる。
【０００３】
したがって、端末機器が多種の無線アクセス技術（Ｒａｄｉｏ  Ａｃｃｅｓｓ  Ｔｅｃｈｎｏｌｏｇｙ、ＲＡＴ）に対応するアクセスネットワーク機器によって同じコアネットワーク機器にアクセスできる場合、端末機器がネットワーク側とどのように通信するかは緊急に解決されるべき問題である。
【発明の概要】
【発明が解決しようとする課題】
【０００４】
本願の実施例は、通信方法、端末機器及びネットワーク機器を提供し、これにより、端末機器が多種のＲＡＴに対応するアクセスネットワーク機器を介して同じコアネットワーク機器にアクセスする場合、端末機器とネットワーク側との間の通信を実施することができ、端末機器とネットワーク側との間の通信の柔軟性を向上させることができる。
【課題を解決するための手段】
【０００５】
第１の態様では、通信方法を提供し、前記通信方法は、端末機器が指示情報を取得し、前記指示情報が、コアネットワーク機器によって前記端末機器に送信されるか、又は前記端末機器で事前設定されたものであり、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器に接続され、前記端末機器が前記少なくとも２種のＲＡＴをサポートし、前記少なくとも２種のＲＡＴが前記第１のＲＡＴを含み、
前記端末機器が前記第１のＲＡＴに対応するアクセスネットワーク機器を利用して、前記ネットワーク側と通信することを含む。
【０００６】
第２の態様では、通信方法を提供し、前記通信方法は、コアネットワーク機器が指示情報を端末機器に送信し、前記指示情報は、前記端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器に接続され、前記端末機器が前記少なくとも２種のＲＡＴをサポートし、前記少なくとも２種のＲＡＴが前記第１のＲＡＴを含むことを含む。
【０００７】
第３の態様では、通信方法を提供し、前記通信方法は、コアネットワーク機器が指示情報をアクセスネットワーク機器に送信し、前記指示情報は、端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器に接続され、前記端末機器が前記少なくとも２種のＲＡＴをサポートし、前記少なくとも２種のＲＡＴが前記第１のＲＡＴを含むことを含む。
【０００８】
第４の態様では、通信方法を提供し、前記通信方法は、アクセスネットワーク機器がコアネットワーク機器によって送信される指示情報を受信し、前記指示情報は、端末機器が第１の無線アクセス技術ＲＡＴに対応するアクセスネットワーク機器を介してネットワーク側と通信することを指示するために使用され、
前記コアネットワーク機器が少なくとも２種のＲＡＴに対応するアクセスネットワーク機器に接続され、前記端末機器が前記少なくとも２種のＲＡＴをサポートし、前記少なくとも２種のＲＡＴが前記第１のＲＡＴを含むことを含む。
【０００９】
第５の態様では、上記第１の態様又はその各実施形態での方法を実行するために使用される端末機器が提供される。
【００１０】
具体的には、当該端末機器は、上記第１の態様又はその各実施形態での方法を実行するための機能モジュールを含む。
【００１１】
第６の態様では、上記第２の態様又はその各実施形態での方法を実行するために使用されるコアネットワーク機器が提供される。
【００１２】
具体的には、当該コアネットワーク機器は、上記第２の態様又はその各実施形態での方法を実行するための機能モジュールを含む。
【００１３】
第７の態様では、上記第３の態様又はその各実施形態での方法を実行するために使用されるコアネットワーク機器が提供される。
【００１４】
具体的には、当該コアネットワーク機器は、上記第３の態様又はその各実施形態での方法を実行するための機能モジュールを含む。
【００１５】
第８の態様では、上記第４の態様又はその各実施形態での方法を実行するために使用されるアクセスネットワーク機器が提供される。
【００１６】
具体的には、当該アクセスネットワーク機器は、上記第４の態様又はその各実施形態での方法を実行するための機能モジュールを含む。
【００１７】
第９の態様では、プロセッサ及びメモリを含む端末機器が提供される。当該メモリは、コンピュータプログラムを記憶するために使用され、当該プロセッサは、当該メモリに記憶されるコンピュータプログラムを呼び出して実行し、上記第１の態様又はその各実施形態での方法を実行するために使用される。
【００１８】
第１０の態様では、プロセッサ及びメモリを含むコアネットワーク機器が提供される。当該メモリは、コンピュータプログラムを記憶するために使用され、当該プロセッサは、当該メモリに記憶されるコンピュータプログラムを呼び出して実行し、上記第２の態様又はその各実施形態での方法を実行するために使用される。
【００１９】
第１１の態様では、プロセッサ及びメモリを含むコアネットワーク機器が提供される。当該メモリは、コンピュータプログラムを記憶するために使用され、当該プロセッサは、当該メモリに記憶されるコンピュータプログラムを呼び出して実行し、上記第３の態様又はその各実施形態での方法を実行するために使用される。
【００２０】
第１２の態様では、プロセッサ及びメモリを含むアクセスネットワーク機器が提供される。当該メモリは、コンピュータプログラムを記憶するために使用され、当該プロセッサは、当該メモリに記憶されるコンピュータプログラムを呼び出して実行し、上記第４の態様又はその各実施形態での方法を実行するために使用される。
【００２１】
第１３の態様では、上記第１から第４の態様のいずれか１つ又はその各実施形態での方法を実行するためのチップが提供される。
【００２２】
具体的には、当該チップは、メモリからコンピュータプログラムを呼び出して実行することにより、当該チップを搭載する機器が上記第１から第４の態様のいずれか１つ又はその各実施形態での方法を実行させるプロセッサを含む。
【００２３】
第１４の態様では、コンピュータプログラムを記憶するためのコンピュータ可読記憶媒体が提供され、当該コンピュータプログラムは、コンピュータに上記第１から第４の態様のいずれか１つ又はその各実施形態での方法を実行させる。
【００２４】
第１５の態様では、コンピュータプログラム命令を含むコンピュータプログラム製品が提供され、当該コンピュータプログラム命令は、コンピュータに上記第１から第４の態様のいずれか１つ又はその各実施形態での方法を実行させる。
【００２５】
第１６の態様では、コンピュータプログラムが提供され、当該コンピュータプログラムがコンピュータ上で実行する場合、コンピュータに上記第１から第４の態様のいずれか１つ又はその各実施形態での方法を実行させる。
【００２６】
上記技術的解決手段により、端末機器が多種のＲＡＴに対応するアクセスネットワーク機器を介して同じコアネットワーク機器にアクセスする場合、端末機器は、指示情報を通じて、多種のアクセスネットワーク機器の中からネットワーク側と通信するために使用されるアクセスネットワーク機器を決定することができ、それにより、端末機器とネットワーク側との間の通信を実施することができる。且つ、多種のアクセスネットワーク機器から１つのアクセスネットワーク機器を選択して、端末機器とネットワーク側の通信の柔軟性を向上させることができる。
【図面の簡単な説明】
【００２７】
【図１】本願の実施例によって提供される通信システムアーキテクチャの概略図である。
【図２】本願の実施例によって提供される通信システムアーキテクチャの概略図である。
【図３】本願の実施例によって提供される通信方法の概略フローチャートである。
【図４】本願の実施例によって提供される通信方法の具体的な概略相互作用図である。
【図５】本願の実施例によって提供される他の通信方法の具体的な概略相互作用図である。
【図６】本願の実施例によって提供される通信方法の概略フローチャートである。
【図７】本願の実施例による通信方法の概略フローチャートである。
【図８】本願の実施例による端末機器の概略ブロック図である。
【図９】本願の実施例によるコアネットワーク機器の概略ブロック図である。
【図１０】本願の実施例によるアクセスネットワーク機器の概略ブロック図である。
【図１１】本願の実施例による通信機器の概略ブロック図である。
【図１２】本願の実施例によるチップの概略ブロック図である。
【図１３】本願の実施例による通信システムの概略ブロック図である。
【図１４】本願の実施例による通信システムの概略ブロック図である。
【発明を実施するための形態】
【００２８】
以下、本願の実施例における技術的解決手段を、本願の実施例における図面と併せて説明するが、明らかに、説明される実施例は、すべての実施例ではなく、本願の実施例の一部である。本願の実施例に基づいて、創造的な作業なしに当業者によって得られる他のすべての実施例は、本願の保護範囲内にあるものとする。
【００２９】
本願の実施例の技術的解決手段が、種々の通信システム、例えば、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイドインターオペラビリティマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）通信システム又は５Ｇシステム、又は後続バージョンの通信システムなどに適用されることができる。
【００３０】
図１は、本願の実施例に適用される無線通信システム１００を示す。当該無線通信システム１００は、アクセスネットワーク機器１１０を含んでもよい。アクセスネットワーク機器１１０が、端末機器と通信する機器であってよい。アクセスネットワーク機器１１０が、特定の地理的エリアに通信カバレッジを提供することができ、当該カバレッジエリアに位置する端末機器と通信することができる。選択的に、当該アクセスネットワーク機器１１０が、次世代無線アクセスネットワーク（Ｎｅｘｔ  Ｇｅｎｅｒａｔｉｏｎ  Ｒａｄｉｏ  Ａｃｃｅｓｓ  Ｎｅｔｗｏｒｋ、ＮＧ  ＲＡＮ）、又はＮＲシステムでの基地局（ｇＮＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）での無線コントローラであってもよいし、又はアクセスネットワーク機器１１０が、移動交換センター、中継局、アクセスポイント、車載機器、ウェアラブル機器、ハブ、スイッチ、ブリッジ、ルータ、５Ｇネットワークでのネットワーク側の機器又は将来進化する公衆陸上移動体ネットワーク（Ｐｕｂｌｉｃ  Ｌａｎｄ  Ｍｏｂｉｌｅ  Ｎｅｔｗｏｒｋ、ＰＬＭＮ）でのネットワーク機器などであってもよい。選択的に、当該アクセスネットワーク機器１１０が、ＬＴＥシステムでの基地局、例えばＥ−ＵＴＲＡＮ機器であってもよい。
【００３１】
当該無線通信システム１００がさらに、アクセスネットワーク機器１１０のカバレッジエリア内に位置する少なくとも１つの端末機器１２０を含んでもよい。端末機器１２０が、可動式であってもよいし、固定式であってもよい。選択的に、本明細書で使用される「端末機器」の接続は、有線回線を介した接続、例えば、公衆交換電話ネットワーク（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタルユーザ回線（Ｄｉｇｉｔａｌ  Ｓｕｂｓｃｒｉｂｅｒ  Ｌｉｎｅ、ＤＳＬ）、デジタルケーブル、直接ケーブルを介した接続、及び／又は他のデータ接続／ネットワーク、及び／又は無線インターフェース、例えば、セルラーネットワーク、無線ローカルエリアネットワーク（Ｗｉｒｅｌｅｓｓ  Ｌｏｃａｌ  Ａｒｅａ  Ｎｅｔｗｏｒｋ、ＷＬＡＮ）、例えばＤＶＢ−ＨネットワークなどのデジタルＴＶネットワーク、衛星ネットワーク、ＡＭ−ＦＭ放送送信機、及び／又は他の端末機器の通信信号を受信／送信する装置、及び／又はモノインターネット（Ｉｎｔｅｒｎｅｔ  ｏｆ  Ｔｈｉｎｇｓ、ＩｏＴ）機器を含むが、これに限定されない。無線インターフェースを介して通信するように設定された端末機器は、「無線通信端末」、「無線端末」又は「モバイル端末」と呼ばれてもよい。モバイル端末の例には、衛星又はセルラー電話が含まれるが、これらに限定されず、セルラー無線電話をデータ処理、ファックス、データ通信機能と組み合わせることができるパーソナル通信システム（Ｐｅｒｓｏｎａｌ  Ｃｏｍｍｕｎｉｃａｔｉｏｎｓ  Ｓｙｓｔｅｍ、ＰＣＳ）端末、無線電話、ポケットベル、インターネット／イントラネットアクセス、Ｗｅｂブラウザ、メモ帳、カレンダー、北斗衛星ナビゲーションシステム（ＢｅｉＤｏｕ  Ｎａｖｉｇａｔｉｏｎ  Ｓａｔｅｌｌｉｔｅ  Ｓｙｓｔｅｍ、ＢＤＳ）、グローバルポジショニングシステム（Ｇｌｏｂａｌ  Ｐｏｓｉｔｉｏｎｉｎｇ  Ｓｙｓｔｅｍ、ＧＰＳ）受信機を含むことができるＰＤＡ、及び通常のラップトップ形及び／又はパームトップ形の受信機又は無線電話トランシーバを含む他の電子機器が挙げられる。端末機器は、アクセス端末、ユーザ機器（Ｕｓｅｒ  Ｅｑｕｉｐｍｅｎｔ、ＵＥ）、ユーザユニット、ユーザステーション、モバイルテーション、モバイル局、リモートステーション、リモート端末、モバイル機器、ユーザ端末、端末、無線通信機器、ユーザエージェント又はユーザ装置を指してよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルプロセッシング（Ｐｅｒｓｏｎａｌ  Ｄｉｇｉｔａｌ  Ａｓｓｉｓｔａｎｔ、ＰＤＡ）、無線通信機能付きのハンドヘルド機器、コンピューティング機器又は無線モデムに接続されたほかのプロセッシング機器、車載機器、ウェアラブル機器及び５Ｇネットワークでの端末機器又は将来進化するＰＬＭＮでの端末機器などであってもよい。
【００３２】
当該無線通信システム１００はさらに、アクセスネットワーク機器と通信するコアネットワーク機器１３０を含んでもよい。選択的に、当該コアネットワーク機器１３０は、５Ｇコアネットワーク機器であってもよく、例えば、アクセスおよびモビリティ管理を担当し、ユーザ認証、ハンドオーバー、およびロケーション更新などの機能を有するアクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）が挙げられる。また例えば、パケットデータユニットセッションの確立、変更、解放などを含むセッション管理を担当するセッション管理機能（Ｓｅｓｓｉｏｎ  Ｍａｎａｇｅｍｅｎｔ  Ｆｕｎｃｔｉｏｎ、ＳＭＦ）が挙げられる。また例えば、ユーザデータの転送を担当するユーザプレーン機能（ｕｓｅｒ  ｐｌａｎｅ  ｆｕｎｃｔｉｏｎ，ＵＰＦ）が挙げられる。
【００３３】
選択的に、端末機器間で端末直接通信（Ｄｅｖｉｃｅ  ｔｏ  Ｄｅｖｉｃｅ、Ｄ２Ｄ）を行うことができる。
【００３４】
図１は、１つのアクセスネットワーク機器、１つのコアネットワーク機器および２つの端末機器を例示的に示し、選択的に、当該無線通信システム１００は、複数のアクセスネットワーク機器を含んでもよいし、各アクセスネットワーク機器のカバレッジ範囲には、他の数の端末機器を含んでもよく、本願の実施例はこれを限定しない。
【００３５】
選択的に、当該無線通信システム１００はさらに、モバイル管理エンティティ（Ｍｏｂｉｌｅ  Ｍａｎａｇｅｍｅｎｔ  Ｅｎｔｉｔｙ、ＭＭＥ）、統合データ管理（Ｕｎｉｆｉｅｄ  Ｄａｔａ  Ｍａｎａｇｅｍｅｎｔ、ＵＤＭ）、認証サーバ機能（Ａｕｔｈｅｎｔｉｃａｔｉｏｎ  Ｓｅｒｖｅｒ  Ｆｕｎｃｔｉｏｎ、ＡＵＳＦ）、ユーザプレーン機能（Ｕｓｅｒ  Ｐｌａｎｅ  Ｆｕｎｃｔｉｏｎ、ＵＰＦ）、シグナリングゲートウェイ（Ｓｉｇｎａｌｉｎｇ  Ｇａｔｅｗａｙ、ＳＧＷ）および他のネットワークエンティティを含んでもよく、本願の実施例はこれを限定しない。
【００３６】
図２は、本願の実施例を適用することができる１つの可能なシステムアーキテクチャ図である。当該システムでは、アクセスネットワーク機器が４Ｇアクセスネットワーク機器、コアネットワーク機器が５Ｇコアネットワーク機器、ＡＭＦとＥ−ＵＴＲＡＮ間のインターフェースがＮ２、Ｅ−ＵＴＲＡＮとＵＥ間のインターフェースがＬＴＥ−Ｕｕ、アプリケーションサーバとＵＥ間のインターフェースがＶ１である。アプリケーションサーバ（Ａｐｐｌｉｃａｔｉｏｎ  Ｓｅｒｖｅｒ）がブロードキャスト情報をＵＥに送信する場合、アプリケーションサーバは、ブロードキャスト情報をＥ−ＵＴＲＡＮに送信でき、その後、Ｅ−ＵＴＲＡＮは、ブロードキャストチャネルを使用して受信した情報をブロードキャストすることができる。
【００３７】
同時に、ＵＥは、アプリケーションサーバまたは５Ｇコアネットワーク機器によって設定されるマルチメディアブロードキャストマルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ、ＭＢＭＳ）情報から、サービスアイデンティティ（ｓｅｒｖｉｃｅ  ＩＤ）と対応する一時的なモバイルグループアイデンティティ（Ｔｅｍｐｏｒａｒｙ  Ｍｏｂｉｌｅ  Ｇｒｏｕｐ  Ｉｄｅｎｔｉｔｙ、ＴＭＧＩ）を取得することができる。ＵＥは、ＴＭＧＩに対応するブロードキャストチャネルの無線リソースをシステムブロードキャスト情報から取得することにより、ブロードキャストチャネルでブロードキャスト情報を受信する。
【００３８】
５Ｇシステムでは、端末機器は、多種のＲＡＴに対応するアクセスネットワーク機器、例えば、４Ｇアクセスネットワーク機器、５Ｇアクセスネットワーク機器などを介して、５Ｇコアネットワーク機器にアクセスでき、端末機器が多種のＲＡＴに対応するアクセスネットワーク機器を通じて同じコアネットワーク機器にアクセスするとき、端末機器は、ネットワーク機器とどのように通信するかはまだ明確に規定されていない。これに鑑みて、本願の実施例は技術的解決手段を提供することにより、端末機器が多種のＲＡＴに対応するアクセスネットワーク機器を介して同じコアネットワーク機器にアクセスするとき、端末機器とネットワーク機器との間の通信を実現することができる。
【００３９】
図３は、本願の実施例による通信方法３００の概略フローチャートである。方法３００は、以下の内容の少なくとも一部を含む。
【００４０】
理解すべきものとして、本願の実施例はＩｏＴに適用でき、ＩｏＴが将来の情報技術開発の重要な部分であり、その主な技術的特徴が、物品を通信技術を介してネットワークに接続し、それによって、人間と機械の相互接続、物同士の相互接続を可能にするスマートネットワークを実現する。
【００４１】
もちろん、本願の実施例は、Ｖ２Ｘ、遠隔医療、スマートシティ、およびスマートホームなどの通信シナリオにも適用することができる。理解すべきものとして、Ｖ２Ｘ通信では、Ｘは通常、例えば、アプリケーションサーバ、緩速移動の無線装置、高速移動の車載機器、または無線送信受信機能を有するネットワーク制御ノードなど、無線送信受信機能を有する任意の機器を指すことができるが、これらに限定されない。
【００４２】
以下、本願の実施例をさらに詳細に説明する。
【００４３】
３１０では、端末機器は、指示情報を取得し、当該指示情報がコアネットワーク機器によって端末機器に送信されるか、または端末機器で事前設定されたものであり、当該指示情報は、端末機器が第１のＲＡＴに対応するアクセスネットワーク機器を介してネットワーク側と通信することを指示するために使用される。
【００４４】
選択的に、コアネットワーク機器は、少なくとも２種のＲＡＴに対応するアクセスネットワーク機器に接続されてもよく、端末機器は、当該少なくとも２種のＲＡＴをサポートする。
【００４５】
少なくとも２種のＲＡＴは当該第１のＲＡＴを含み、少なくとも２種のＲＡＴは、進化型ユニバーサルモバイル通信システムの地上無線アクセスＥ−ＵＴＲＡ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ、Ｅ−ＵＴＲＡ）およびＮＲを含むことができるが、これらに限定されず、コアネットワーク機器は、３Ｇコアネットワーク機器、４Ｇコアネットワーク機器、または５Ｇコアネットワーク機器などであってもよい。
【００４６】
例えば、５Ｇコアネットワーク機器は、５Ｇアクセスネットワーク機器と接続されている間、４Ｇアクセスネットワーク機器と接続されてもよい。
【００４７】
あるいは、端末機器は５Ｇアクセスネットワーク機器を介して５Ｇコアネットワーク機器に登録することができ、その後、５Ｇアクセスネットワーク機器と５Ｇコアネットワーク機器との接続は４Ｇアクセスネットワーク機器と５Ｇコアネットワーク機器との接続に切り替えられることができる。
【００４８】
選択的に、コアネットワーク機器は、１種のＲＡＴに対応するアクセスネットワーク機器だけに接続されてもよい。
【００４９】
例えば、端末機器が５Ｇアクセスネットワーク機器を介して５Ｇコアネットワーク機器に登録した後、端末機器は５Ｇアクセスネットワーク機器を介して通信する。
【００５０】
選択的に、本願の実施例では、端末機器が第１のＲＡＴに対応するアクセスネットワーク機器を介してネットワーク側と通信することは、端末機器が第１のＲＡＴに対応するアクセスネットワーク機器を介してネットワーク側から送信される情報を受信するか、または端末機器が第１のＲＡＴに対応するアクセスネットワーク機器を介してネットワーク側に情報を送信することを含んでもよい。
【００５１】
選択的に、ネットワーク側はアプリケーションサーバであってもよい。つまり、当該端末機器が受信した情報は、アプリケーション層のメッセージであってもよい。
【００５２】
例えば、本願の実施例がＶ２Ｘ通信シナリオに適用される場合、当該情報は、前方に赤信号があること、赤信号が緑に変わる時間、比較的混雑する道路区間などであってもよい。
【００５３】
他の例として、本願の実施例がショッピングモール内などのＩｏＴに適用される場合、当該情報は、ショッピングモール内の各ブランドの割引強、ショッピングモール内の各ブランドの場所などであってもよい。
【００５４】
他の例として、本願の実施例が遠隔医療に適用される場合、当該情報は、特定の患者の疾患診断結果、診断結果に基づく処方などであってもよい。
【００５５】
他の例として、本願の実施例がスマートホームに適用される場合、当該情報は、家庭内の天然ガス、水道、電気の残量、外出後の消灯などであってもよい。
【００５６】
理解すべきものとして、当該情報は、アプリケーションサーバによって送信されるブロードキャスト情報、または特定の端末機器のためにアプリケーションサーバによって送信される情報であってもよく、これは、本願の実施例では特に限定されない。
【００５７】
説明すべきものとして、本願の実施例は、説明のための例として、コアネットワーク機器がＥ−ＵＴＲＡおよびＮＲに対応するアクセスネットワーク機器と接続され、端末機器が第１のＲＡＴに対応するアクセスネットワーク機器を介してブロードキャスト情報を受信するのみをとるが、本願はこれに限定されないことを理解されたい。
【００５８】
１つの例として、端末機器が指示情報を取得することは、端末機器がコアネットワーク機器によって送信された指示情報を受信することを含んでもよい。
【００５９】
選択的に、コアネットワーク機器がアプリケーションサーバである場合、端末機器がコアネットワーク機器によって送信された指示情報を受信することは、端末機器が、アプリケーションサーバとのインターフェースを介してアプリケーションサーバによって送信された指示情報を受信することを含んでもよい。
【００６０】
あるいは、端末機器がコアネットワーク機器によって送信された指示情報を受信することは、端末機器が、ＳＭＦを介してアプリケーションサーバによって送信された指示情報を受信することを含んでもよい。
【００６１】
選択的に、コアネットワーク機器がＳＭＦである場合、端末機器がコアネットワーク機器によって送信された指示情報を受信することは、端末機器が、ＡＭＦを介してＳＭＦによって送信された指示情報を受信することを含んでもよい。
【００６２】
選択的に、コアネットワーク機器がＡＭＦである場合、端末機器がコアネットワーク機器によって送信された指示情報を受信することは、ＡＭＦがＳＭＦによって送信された指示情報を受信し、その後、端末機器が少なくとも１つのアクセスネットワーク機器を介してＡＭＦによって送信された指示情報を受信することを含んでもよい。そのうち、少なくとも１つのアクセスネットワーク機器は、第１のＲＡＴに対応するアクセスネットワーク機器を含む。
【００６３】
少なくとも１つのアクセスネットワーク機器は、端末機器の登録エリア内のすべての第１のＲＡＴに対応するアクセスネットワーク機器であってもよいし、端末機器の登録エリア内のすべてのアクセスネットワーク機器であってもよい。
【００６４】
選択的に、コアネットワーク機器がＶ２Ｘ制御機能（ｃｏｎｔｒｏｌ  ｆｕｎｃｔｉｏｎ、ＣＦ）である場合、端末機器がコアネットワーク機器によって送信された指示情報を受信することは、端末機器がＶ２Ｘ  ＣＦを介して指示情報を受信することを含んでもよい。そのうち、Ｖ２Ｘ  ＣＦは、端末機器に、通信システムに関連する設定情報を設定するために使用される。
【００６５】
選択的に、Ｖ２Ｘ  ＣＦは、シグナリングを介して端末機器に指示情報を送信することができる。
【００６６】
選択的に、Ｖ２Ｘ  ＣＦは、データパケットを介して端末機器に指示情報を送信することができる。たとえば、Ｖ２Ｘ  ＣＦはネットワーク間で相互接続されるプロトコル（Ｉｎｔｅｒｎｅｔ  Ｐｒｏｔｏｃｏｌ、ＩＰ）パケットで当該指示情報を運ぶことができる。
【００６７】
選択的に、コアネットワーク機器がポリシー制御機能（Ｐｏｌｉｃｙ  Ｃｏｎｔｒｏｌ  Ｆｕｎｃｔｉｏｎ、ＰＣＦ）である場合、端末機器がコアネットワーク機器によって送信された指示情報を受信することは、端末機器がＰＣＦを介して指示情報を受信することを含んでもよい。具体的には、ＰＣＦは、ＡＭＦに指示情報を送信することができ、ＡＭＦは、指示情報を受信した後、指示情報を端末機器に送信する。
【００６８】
選択的に、ＰＣＦは、シグナリングを介して端末機器に指示情報を送信することができる。
【００６９】
他の例として、端末機器が指示情報を取得することは、第１のＲＡＴに対応するアクセスネットワーク機器がＡＭＦによって送信された指示情報を受信し、その後、端末機器が第１のＲＡＴに対応するアクセスネットワーク機器によって送信された指示情報を受信することを含んでもよい。
【００７０】
本願の実施例では、当該指示情報は、ブロードキャスト設定メッセージで搭載されてもよい。当該ブロードキャスト設定メッセージは、ｓｅｒｖｉｃｅ  ＩＤ、ｓｅｒｖｉｃｅ  ＩＤに対応するＴＭＧＩ、周波数帯域、および端末機器がネットワーク側と通信するエリア、すなわち、端末機器が第１のＲＡＴに対応するアクセスネットワーク機器を利用してブロードキャスト情報を受信するエリアを更に含んでもよいが、これらに限定されない。
【００７１】
ＴＭＧＩは、端末機器がブロードキャスト情報を受信するために使用する物理リソースを決定するために使用されることができる。
【００７２】
周波数帯域は、４Ｇシステムの周波数帯域又は５Ｇシステムの周波数帯域を含んでもよい。端末機器は、当該周波数帯域が４Ｇシステムの周波数帯域であるか５Ｇシステムの周波数帯域であるかを判断することにより、ブロードキャスト情報を受信するために使用されるアクセスネットワーク機器を決定することができる。
【００７３】
例えば、当該周波数帯域が４Ｇシステムの周波数帯域である場合、端末機器は、ブロードキャスト情報を受信するために４Ｇアクセスネットワーク機器を使用することを決定することができる。
【００７４】
第１のＲＡＴに対応するアクセスネットワーク機器を利用してブロードキャスト情報を受信するエリアは、第１のＲＡＴに対応するアクセスネットワーク機器が４Ｇアクセスネットワーク機器である場合、Ｅ−ＵＴＲＡＮなどの４Ｇアクセスネットワーク機器の下で、端末機器がブロードキャスト情報を受信できるエリアを含んでもよいし、あるいは、第１のＲＡＴに対応するアクセスネットワーク機器が５Ｇアクセスネットワーク機器である場合、ＮＲなどの５Ｇアクセスネットワークの下で、端末機器がブロードキャスト情報を受信できるエリアを含んでもよい。
【００７５】
本願の実施例におけるエリアは、第１のＲＡＴに対応するアクセスネットワーク機器によってカバーされるエリアまたは追跡エリア（Ｔｒａｃｋｉｎｇ  Ａｒｅａ、ＴＡ）として表現されてもよい。
【００７６】
具体的には、端末機器は、第１のＲＡＴに対応するアクセスネットワーク機器のＩＤリスト、セルＩＤリスト、および全地球測位システム（Ｇｌｏｂａｌ  Ｐｏｓｉｔｉｏｎｉｎｇ  Ｓｙｓｔｅｍ、ＧＰＳ）の位置の少なくとも１つに従って第１のＲＡＴに対応するアクセスネットワーク機器を決定し、第１のＲＡＴに対応するアクセスネットワーク機器を決定した後、端末機器は、第１のＲＡＴに対応するアクセスネットワーク機器によってカバーされるエリアに基づいて当該エリアを決定してもよい。
【００７７】
理解すべきものとして、ブロードキャスト設定メッセージには、ｓｅｒｖｉｃｅ  ＩＤを含むが、ＴＭＧＩおよび周波数帯域を含まなくてもよい。ｓｅｒｖｉｃｅ  ＩＤがそれぞれＴＭＧＩおよび周波数帯域と対応関係を有することにより、端末機器は、ｓｅｒｖｉｃｅ  ＩＤに基づいて、ｓｅｒｖｉｃｅに対応するＴＭＧＩおよび周波数帯域を取得してもよい。
【００７８】
他の例として、指示情報は、端末機器で事前設定されてもよい。
【００７９】
指示情報が端末機器で事前設定される場合、端末機器は、コアネットワーク機器に登録する前に、指示情報を取得してもよい。
【００８０】
選択的に、指示情報は、システムまたはユーザによってプリセットされてもよい。
【００８１】
例示的に、システムまたはユーザは、端末機器が第１のＲＡＴに対応するアクセスネットワーク機器を利用してブロードキャスト情報を受信することをプリセットしてもよい。
【００８２】
更に例示的に、システムまたはユーザは、端末機器が、毎日最初の１２時間に、第１のＲＡＴに対応するアクセスネットワーク機器を利用してブロードキャスト情報を受信し、毎日最後の１２時間に、第２のＲＡＴに対応するアクセスネットワーク機器を利用してブロードキャスト情報を受信することをプリセットしてもよい。
【００８３】
説明すべきものとして、端末機器が事前設定を通じて指示情報を取得しない場合、端末機器は、まずコアネットワークに登録し、次に指示情報を取得してもよい。
【００８４】
本願の実施例では、端末機器は、現在所在する位置のプリセットされたエリア内のアクセスネットワーク機器のいくつかのパラメータに基づいて、ブロードキャスト情報を受信するために使用されるアクセスネットワーク機器を決定してもよい。
【００８５】
当該パラメータには、チャネル品質、サービス量、および数量が含まれてもよいが、これらに限定されない。
【００８６】
例えば、端末機器は、ブロードキャスト情報を受信するために、所在する位置のプリセットされたエリアでチャネル品質が最も良いアクセスネットワーク機器を使用することを決定してもよい。例えば、端末機器が現在所在する位置のプリセットされたエリア内の第１のＲＡＴに対応するアクセスネットワーク機器のチャネル品質が最も良い場合、端末機器は、第１のＲＡＴに対応するアクセスネットワーク機器を利用してブロードキャスト情報を受信することを決定してもよい。また例えば、端末機器が現在所在する位置のプリセットされたエリア内の第２のＲＡＴに対応するアクセスネットワーク機器のチャネル品質が最も良い場合、端末機器は、第２のＲＡＴに対応するアクセスネットワーク機器を利用してブロードキャスト情報を受信することを決定してもよい。
【００８７】
３２０では、端末機器は、第１のＲＡＴに対応するアクセスネットワーク機器を利用して、ネットワーク側と通信する。
【００８８】
具体的には、端末機器は、システム情報からＴＭＧＩに対応するブロードキャストチャネルのリソースを取得し、その後、端末機器は、第１のＲＡＴに対応するアクセスネットワーク機器を利用して、当該ブロードキャストチャネルでブロードキャスト情報を受信してもよい。
【００８９】
本願の実施例では、端末機器が当該第１のＲＡＴに対応するアクセスネットワーク機器を利用してネットワーク側と通信することは、端末機器がブロードキャスト情報を受信するためのエリアを決定し、そのうち、当該エリアが、第１のＲＡＴに対応する少なくとも１つのアクセスネットワーク機器を含み、端末機器が、当該少なくとも１つのアクセスネットワーク機器の１つを利用してブロードキャスト情報を受信することを含んでもよい。
【００９０】
選択的に、端末機器は、事前設定またはコアネットワーク機器によって送信された第１のメッセージに基づいて、ブロードキャスト情報を受信するエリアを決定してもよい。
【００９１】
第１のメッセージは、端末機器とネットワーク側との間の通信のためのエリアを示すために使用されるものであってもよい。第１のメッセージは、当該指示情報を含むメッセージ、すなわち、ブロードキャスト設定メッセージであってもよく、または、第１のメッセージは、ブロードキャスト設定メッセージ以外のメッセージであってもよい。
【００９２】
選択的に、第１のメッセージが端末機器とネットワーク側の間の通信のためのエリアを指示することは、第１のメッセージが端末機器とネットワーク側との間の通信のためのエリアを含むことができることを含んでもよく、あるいは、第１のメッセージが端末機器とネットワーク側との間の通信のためのエリアを暗黙的に示すことができることを含んでもよく、例えば、第１のメッセージが第１のＲＡＴに対応するアクセスネットワーク機器のＩＤリストおよびセルＩＤリストなどを含み得るが、これらに限定されず、端末機器が第１のＲＡＴに対応するアクセスネットワーク機器のＩＤリストおよびセルＩＤリストなどに基づいて、ネットワーク側との通信のためのエリアを決定することができる。
【００９３】
説明すべきものとして、第１のメッセージがブロードキャスト設定メッセージ以外のメッセージである場合、本願の実施例は、端末機器がブロードキャスト設定メッセージおよび第１のメッセージを受信する順序を特に限定しない。例えば、端末機器は、最初にブロードキャスト設定メッセージを受信し、次に第１のメッセージを受信してもよく、最初に第１のメッセージを受信し、次にブロードキャスト設定メッセージを受信してもよい。理解すべきものとして、本願の実施例におけるブロードキャスト設定メッセージと第１のメッセージとの間の前後関係は、論理的な前後関係のみを表し、ブロードキャスト設定メッセージと第１のメッセージとの間に第２のメッセージなどの他のメッセージがあってもよく、もちろん、他のメッセージがなくてもよく、これは本願の実施例に限定されない。
【００９４】
端末機器がブロードキャスト情報を受信するエリア内に第１のＲＡＴに対応するアクセスネットワーク機器が複数である場合、端末機器は、複数のアクセスネットワーク機器からアクセスネットワーク機器を選択することができる。選択的に、端末機器は、複数のアクセスネットワーク機器の中で任意のアクセスネットワーク機器を選択してもよい。
【００９５】
あるいは、端末機器は、複数のアクセスネットワーク機器から、それ自体に最も近いアクセスネットワーク機器を選択してもよい。
【００９６】
あるいは、端末機器は、複数のアクセスネットワーク機器から、現時点でサービスが最も少ないアクセスネットワーク機器を選択してもよい。
【００９７】
具体的には、端末機器は、現時点での当該複数のアクセスネットワーク機器のサービス量を決定する情報をネットワーク機器に送信することができ、当該情報を受信した後、ネットワーク機器は、複数のアクセスネットワーク機器内の各アクセスネットワーク機器の現時点のサービス量を決定する。その後、ネットワーク機器は、端末機器にサービス情報を送信することができ、当該サービス情報が、現時点における各アクセスネットワーク機器のサービス量を含み、端末機器は、当該サービス情報に基づいて、現時点でサービスが最も少ないアクセスネットワーク機器を選択する。あるいは、ネットワーク機器によって端末機器に送信されるサービス情報は、現時点でサービスが最も少ないアクセスネットワーク機器のみを示すことができ、端末機器は、当該サービス情報に基づいて、現時点でサービスが最も少ないアクセスネットワーク機器を選択する。
【００９８】
あるいは、端末機器は、複数のアクセスネットワーク機器にチャネル品質測定を実行し、測定結果に基づいて、複数のアクセスネットワーク機器からアクセスネットワーク機器を選択することができる。例えば、端末機器は、チャネル品質が最も良いアクセスネットワーク機器を選択することができる。
【００９９】
選択的に、端末機器は、チャネル品質インジケータ（Ｃｈａｎｎｅｌ  ＱｕａｌｉｔｙＩｎｄｉｃａｔｏｒ、ＣＱＩ）に基づいて、複数のアクセスネットワーク機器からチャネル品質が最も良いアクセスネットワーク機器を選択することができる。
【０１００】
説明すべきものとして、端末機器がブロードキャスト情報を受信するためにチャネル品質が最も良いアクセスネットワーク機器を選択した場合、チャネル品質が最も良いアクセスネットワーク機器が複数含まれるとき、端末機器は、チャネル品質が最も良いアクセスネットワーク機器の中からランダムに１つのアクセスネットワーク機器を選択してもよく、チャネル品質が最も良いアクセスネットワーク機器の中から最も近いアクセスネットワーク機器を選択してもよく、もちろん、チャネル品質が最も良いアクセスネットワーク機器から、現時点でサービスが最も少ないアクセスネットワークを選択してもよく、具体的な実施形態は、本願の実施例に限定されない。
【０１０１】
選択的に、本願の実施例では、３２０の前に、当該方法はさらに、
端末機器に現在サービスを提供しているアクセスネットワーク機器に対応するＲＡＴが第１のＲＡＴでない場合、端末機器が、第１のＲＡＴに対応するアクセスネットワーク機器に接続するために、切り替えを実行するか、または第１のＲＡＴに対応するアクセスネットワーク機器との接続を確立することができることを含んでもよい。
【０１０２】
例えば、端末機器が４Ｇアクセスネットワーク機器を利用してブロードキャスト情報を受信し、現在端末機器にサービスを提供しているアクセスネットワーク機器が５Ｇアクセスネットワーク機器であり、端末機器が接続状態にある場合、５Ｇアクセスネットワーク機器は、端末機器との接続を４Ｇアクセスネットワーク機器と端末機器との接続に切り替えるために、端末機器の切り替えをトリガすることができる。
【０１０３】
５Ｇアクセスネットワーク機器が端末機器の切り替えをトリガーするプロセスでは、具体的には、端末機器が現在接続状態にある場合、ＡＭＦは第２のＲＡＴに対応するアクセスネットワーク機器に切り替え情報を送信でき、当該切り替え情報は、第２のＲＡＴに対応するアクセスネットワーク機器が、第２のＲＡＴに対応するアクセスネットワーク機器から第１のＲＡＴに対応するアクセスネットワーク機器に切り替えるように端末機器の切り替えをトリガーすることを指示するために使用される。
【０１０４】
切り替え情報を受信した後、第２のＲＡＴに対応するアクセスネットワーク機器は、測定設定情報を端末機器に送信することができ、当該測定設定情報には、例えば、測定対象セルのリスト、測定量、閾値など、第１のＲＡＴに対応するアクセスネットワーク機器のエリア内のセルを測定するために端末機器が使用する測定パラメータを含むことができる。選択的に、測定量には、基準信号受信電力（ｒｅｆｅｒｅｎｃｅ  ｓｉｇｎａｌ  ｒｅｃｅｉｖｅｄ  ｐｏｗｅｒ、ＲＳＲＰ）、基準信号受信品質（ｒｅｆｅｒｅｎｃｅ  ｓｉｇｎａｌ  ｒｅｃｅｉｖｉｎｇ  ｑｕａｌｉｔｙ、ＲＳＲＱ）、基準信号−信号対干渉およびノイズ比（ｒｅｆｅｒｅｎｃｅ  ｓｉｇｎａｌ−ｓｉｇｎａｌ  ｔｏ  ｉｎｔｅｒｆｅｒｅｎｃｅ  ｐｌｕｓ  ｎｏｉｓｅ  ｒａｔｉｏ、ＲＳ−ＳＩＮＲ）の少なくとも１つを含んでもよい。
【０１０５】
端末機器は、当該測定パラメータに基づいて、第１のＲＡＴに対応するアクセスネットワーク機器エリア内のセルを測定し、測定結果を取得し、そして第２のＲＡＴに対応するアクセスネットワーク機器に測定結果を報告し、第２のＲＡＴに対応するアクセスネットワーク機器が測定結果に基づいてターゲットセルを選択することができ、これにより端末機器は、第２のＲＡＴに対応するアクセスネットワーク機器のエリアから第１のＲＡＴに対応するアクセスネットワーク機器のエリアに切り替えられることができる。その後、端末機器は、第１のＲＡＴに対応するアクセスネットワーク機器を利用して、ブロードキャスト情報を受信することができる。
【０１０６】
端末機器と第１のＲＡＴに対応するアクセスネットワーク機器との接続を確立するプロセスについて、具体的には、端末機器がアイドル状態にあるとき、端末装置は、第１のＲＡＴに対応するアクセスネットワーク機器に無線リソース制御（Ｒａｄｉｏ  Ｒｅｓｏｕｒｃｅ  Ｃｏｎｔｒｏｌ、ＲＲＣ）接続確立要求を送信して、コアネットワーク機器との接続を確立することができる。そのうち、端末機器は、ランダムアクセスを介して、第１のＲＡＴに対応するアクセスネットワーク機器との接続を確立することができる。
【０１０７】
説明すべきものとして、端末機器は、システム情報に従ってブロードキャスト情報を受信するためのブロードキャストチャネルのリソースを決定して、ブロードキャストチャネルでブロードキャスト情報を受信することができる。よって、端末機器がアイドル状態にあるときに、端末機器がブロードキャスト情報を受信する以外にネットワーク装置と他のサービス送信を行わない場合、端末機器は、第１のＲＡＴに対応する接続を確立しなくてもよい。
【０１０８】
選択的に、本願の実施例では、現在端末機器にサービスを提供しているアクセスネットワーク機器に対応するＲＡＴが第１のＲＡＴである場合、第１のＲＡＴに対応するアクセスネットワーク機器は、端末機器の切り替えをトリガーせず、端末機器は、現在端末機器にサービスを提供しているアクセスネットワーク機器を利用してブロードキャスト情報を受信してもよい。
【０１０９】
選択的に、現在端末機器にサービスを提供しているアクセスネットワーク機器に対応するＲＡＴが第１のＲＡＴであるが、第１のＲＡＴに対応する複数のアクセスネットワーク機器の中で、現在端末機器にサービスを提供しているアクセスネットワーク機器のチャネル品質が最適でない場合、第１のＲＡＴに対応するアクセスネットワーク機器は、第１のＲＡＴに対応するチャネル品質が最も良いアクセスネットワーク機器のエリアに切り替えるために端末機器の切り替えをトリガーしてもよい。
【０１１０】
１つの可能な実施例では、端末機器は、コアネットワークへの登録前または登録後にアイドル状態になると、ＲＡＴ選択を行うときに、第１のＲＡＴに対応するアクセスネットワーク機器を選択してブロードキャスト情報を受信してもよい。
【０１１１】
例えば、第１のＲＡＴがＥ−ＵＴＲＡの場合、端末機器は、ＲＡＴ選択を行うときに、Ｅ−ＵＴＲＡＮを選択し、選択後にＥ−ＵＴＲＡＮのブロードキャストチャネルを使用してブロードキャスト情報を受信してもよい。
【０１１２】
例えば、第１のＲＡＴがＮＲの場合、端末機器は、ＲＡＴ選択を行うときに、ＮＲを選択し、選択後にＮＲのブロードキャストチャネルを使用してブロードキャスト情報を受信してもよい。
【０１１３】
選択的に、本願の実施例では、端末機器が第１のＲＡＴに対応するアクセスネットワーク機器を利用してネットワーク側と通信することは、指示情報を取得した後、端末機器が、第１のＲＡＴに対応するアクセスネットワーク機器のみを選択して、ネットワーク側と通信することを含んでもよい。
【０１１４】
選択的に、指示情報を取得した後、端末機器が第１のＲＡＴに対応するアクセスネットワーク機器のみを選択してネットワーク側と通信することは、端末機器が、指示情報を取得した後、指示情報に基づいて、または指示情報に応答して、第１のＲＡＴに対応するアクセスネットワーク機器のみを使用してネットワーク側と通信することができること、あるいは、端末機器が第２のＲＡＴに対応するアクセスネットワーク機器との通信を維持する場合、第１のＲＡＴに対応するアクセスネットワーク機器のみを選択してネットワーク側と通信すること、として理解することができる。
【０１１５】
当該実施形態では、端末機器が第１のＲＡＴに対応するアクセスネットワーク機器のみを使用してネットワーク側と通信することは、端末機器が、第１のＲＡＴに対応するアクセスネットワーク機器のみを選択し、選択された第１のＲＡＴに対応するアクセスネットワーク機器のみを使用して、ネットワーク側と通信することを含んでもよい。
【０１１６】
端末機器が第２のＲＡＴに対応するアクセスネットワーク機器との通信を維持する場合、第１のＲＡＴに対応するアクセスネットワーク機器のみを選択してネットワーク側と通信することは、第１のＲＡＴに対応するアクセスネットワーク装置のみが選択され、端末装置が第１のＲＡＴに対応するアクセスネットワーク装置を選択した後、端末機器が、第２のＲＡＴに対応するアクセスネットワーク機器との通信を維持しながら、選択された第１のＲＡＴに対応するアクセスネットワーク機器を利用してネットワーク側と通信することができることを含んでもよい。
【０１１７】
一例として、端末機器が、指示情報を受信した時間から、第１のＲＡＴ以外のＲＡＴに対応するアクセスネットワーク機器を利用してネットワーク側と通信するために指示されるまでの期間に、当該端末機器が、ネットワーク側との接続を確立するために、第１のＲＡＴに対応するアクセスネットワーク機器のみを選択してネットワーク側と通信することができる。
【０１１８】
つまり、端末機器が、指示情報を受信した時間から、第２のＲＡＴに対応するアクセスネットワーク機器を利用してネットワーク側と通信するために指示されるまでの期間に、端末機器とネットワーク側の間に複数の通信がある場合、当該端末装置は、当該複数の通信中に、第１のＲＡＴに対応するアクセスネットワーク機器のみを選択してネットワーク側と通信することができる
【０１１９】
別の例として、指示情報を取得した後、端末機器は常に、第１のＲＡＴに対応するアクセスネットワーク機器のみを選択して、ネットワーク側と通信することができる。
【０１２０】
本願の実施例では、端末機器が第１のＲＡＴに対応するアクセスネットワーク機器のみを選択してネットワーク側と通信する過程で、当該第１のＲＡＴに対応するアクセスネットワーク機器は、同じアクセスネットワーク機器であってもよいし、異なるアクセスネットワーク機器であってもよい。
【０１２１】
例えば、端末機器が、指示情報を受信した時間から、第２のＲＡＴに対応するアクセスネットワーク機器を利用してネットワーク側と通信するために指示されるまでの期間に、端末機器は、第１回の通信では、第１のＲＡＴに対応するアクセスネットワーク機器Ａを選択して、ネットワーク側との接続を確立することができ、第２回の通信では、第１のＲＡＴに対応するアクセスネットワーク機器Ｂを選択して、ネットワーク側との接続を確立することができ、第３回の通信では、第１のＲＡＴに対応するアクセスネットワーク機器Ｂを選択して、ネットワーク側との接続を確立することができる。
【０１２２】
他の可能な実施例では、端末機器が第２のＲＡＴに対応するアクセスネットワーク機器との通信を維持する場合、端末機器は、第１のＲＡＴに対応するアクセスネットワーク機器を利用してブロードキャスト情報を受信することができる。
【０１２３】
本願の実施例における少なくとも２種のＲＡＴは、当該第２のＲＡＴを含む。
【０１２４】
理解すべきものとして、本願の実施例において、「第１」および「第２」は、異なるオブジェクトを区別するためにのみ使用され、本願の実施例の範囲を限定するものではない。
【０１２５】
一例として、端末機器は、複数のアンテナを含んでもよい。
【０１２６】
例示的に、端末機器は２つのアンテナを含んでもよく、そのうち、１つのアンテナが第２のＲＡＴに対応するアクセスネットワーク機器と通信する場合、もう１つのアンテナは、第１のＲＡＴに対応するアクセスネットワーク機器を利用してブロードキャスト情報を受信することができる。
【０１２７】
このとき、端末機器の２つのアンテナは独立する。
【０１２８】
一例として、端末機器の無線周波数アンテナは、二重受信をサポートすることができる。
【０１２９】
例示的に、第１のＲＡＴが４Ｇであり、第２のＲＡＴが５Ｇであるとき、端末機器は、ＵｕポートでＮＲを使用しながら、一組の受信機を使用して、Ｅ−ＵＴＲＡＮを利用してネットワーク機器によって送信されたブロードキャスト情報を受信することができる。
【０１３０】
選択的に、端末機器が第２のＲＡＴに対応するアクセスネットワーク機器と通信するための周波数帯域は、第１のＲＡＴに対応するアクセスネットワーク機器からブロードキャスト情報を受信するために端末機器によって使用される周波数帯域とは異なる。
【０１３１】
選択的に、端末機器が第２のＲＡＴに対応するアクセスネットワーク機器と通信するための空域は、第１のＲＡＴに対応するアクセスネットワーク機器からブロードキャスト情報を受信するために端末機器によって使用される空域とは異なる。
【０１３２】
選択的に、端末機器が第２のＲＡＴに対応するアクセスネットワーク機器と通信するためのコードドメインは、第１のＲＡＴに対応するアクセスネットワーク機器からブロードキャスト情報を受信するために端末機器によって使用されるコードドメインとは異なる。
【０１３３】
このとき、端末機器は、アイドル状態でブロードキャスト情報を受信してもよいし、接続状態でブロードキャスト情報を受信してもよいが、本願の実施例では特に限定されない。
【０１３４】
理解すべきものとして、本実施形態では、端末機器は、第１のＲＡＴに対応するアクセスネットワーク機器を利用してブロードキャスト情報を受信する前に、指示情報に基づいてブロードキャスト情報を受信するアクセスネットワーク機器が第１のＲＡＴに対応するアクセスネットワーク機器であると決定することができるだけでなく、システムまたはユーザのプリセットに基づいて、ブロードキャスト情報を受信するアクセスネットワーク機器が第１のＲＡＴに対応するアクセスネットワーク機器であると決定してもよい。もちろん、端末機器はまた、現時点でのアクセスネットワーク機器のいくつかのパラメータに従って、ブロードキャスト情報を受信するアクセスネットワーク機器が第１のＲＡＴに対応するアクセスネットワーク機器であることを決定してもよい。
【０１３５】
本願の実施例では、端末機器は、第２のＲＡＴに対応するアクセスネットワーク機器と通信を維持しながら、第２のＲＡＴに対応するアクセスネットワーク機器を利用してブロードキャスト情報を受信してもよいし、または端末機器は、第１のＲＡＴに対応するアクセスネットワーク機器と通信を維持しながら、第１のＲＡＴに対応するアクセスネットワーク機器を利用してブロードキャスト情報を受信してもよく、本願の実施例はこれに限定されない。
【０１３６】
理解すべきものとして、本願の実施例の様々な実施形態は、個別にまたは組み合わせて実施することができ、本願の実施例はこれに限定されない。
【０１３７】
例えば、本願の実施例では、端末機器が、第２のＲＡＴに対応するアクセスネットワーク機器と通信を維持しながら、第１のＲＡＴに対応するアクセスネットワーク機器を用いてブロードキャスト情報を受信することができる実施形態と、端末装置がアイドル状態にある場合、指示情報がページングメッセージに含まれる実施形態とは、個別にまたは組み合わせて実施することができる。以下に、端末装置がアイドル状態にあるときに指示情報をページングメッセージに含めることができる実施形態について個別に説明する。以下の説明に加えて、以下の実施例はまた、前述の各実施例の関連する説明を参照することができ、以下は簡潔にするために、繰り返されないことを理解されたい。
【０１３８】
他の可能な実施例では、端末機器がアイドル状態にあるとき、指示情報は、端末機器によって受信されたページングメッセージに含まれることができる。
【０１３９】
選択的に、当該ページングメッセージは、第１のＲＡＴに対応するアクセスネットワーク機器から送信されてもよい。
【０１４０】
選択的に、当該ページングメッセージは、第２のＲＡＴに対応するアクセスネットワーク機器からも送信されてもよく、この場合、ページングメッセージは、第１のＲＡＴに対応するアクセスネットワーク機器から、ブロードキャスト情報を受信するように端末機器に指示することができる。
【０１４１】
１つの実施形態では、ＡＭＦは、端末機器がアイドル状態にあると判断した場合、ＡＭＦは、端末機器の登録エリア（Ｒｅｇｉｓｔｒａｔｉｏｎ  Ａｒｅａ）内の少なくとも１つのアクセスネットワーク機器に第１のページメッセージを送信することができ、そのうち、当該第１のページメッセージが指示情報を含み、少なくとも１つのアクセスネットワーク機器が第１のＲＡＴに対応するアクセスネットワーク機器を含む。
【０１４２】
理解すべきものとして、第１のページメッセージを受信する少なくとも１つのアクセスネットワーク機器は、端末機器の登録エリア内のすべてのアクセスネットワーク機器であってもよく、端末機器の登録エリア内のすべての第１のＲＡＴに対応するアクセスネットワーク機器であってもよい。
【０１４３】
第１のページングメッセージを受信した後、アクセスネットワーク機器は、第２のページングメッセージを端末機器に送信することができ、当該第２のページングメッセージは指示情報をも含む。端末機器は、第２のページングメッセージを受信した後、受信されるべきブロードキャスト情報があると決定し、ブロードキャスト情報を受信するために第１のＲＡＴに対応するアクセスネットワーク機器を選択することができる。
【０１４４】
端末機器が第２のページングメッセージを受信するとき、一例として、この時点で端末機器が第１のＲＡＴに対応するアクセスネットワーク機器のエリアにある場合、選択的に、端末機器は、第１のＲＡＴに対応するアクセスネットワーク機器を利用してブロードキャスト情報を受信することができる。
【０１４５】
あるいは、この時点で端末機器が配置されている第１のＲＡＴに対応するアクセスネットワーク機器のチャネル品質が悪いまたはサービスが多い場合、端末機器は、ブロードキャスト情報を受信するために第１のＲＡＴに対応する他のアクセスネットワーク機器を選択してもよい。
【０１４６】
理解すべきものとして、端末機器が第１のＲＡＴに対応する複数のアクセスネットワーク機器からアクセスネットワーク機器を選択する実施形態について、上記の内容は詳細に説明されており、ここでは冗長な説明を避けるために詳細な説明を省略する。
【０１４７】
選択的に、端末機器が第２のページングメッセージを受信するとき、一例として、この時点で端末機器が第２のＲＡＴに対応するアクセスネットワーク機器のエリアにある場合、端末機器は接続状態に入ることができる。その後、第２のＲＡＴに対応するアクセスネットワーク機器は、第２のＲＡＴに対応するアクセスネットワーク機器のエリアから第１のＲＡＴに対応するアクセスネットワークのエリアに切り替えるために、端末機器の切り替えをトリガーすることができる。
【０１４８】
説明すべきものとして、端末機器は、第２のＲＡＴに対応するアクセスネットワーク機器を介してコアネットワークに登録してもよく、第１のＲＡＴに対応するアクセスネットワーク機器を介してコアネットワークに登録してもよく、本願はこれに限定されない。
【０１４９】
図４は、本願の実施例の具体的な概略図を提供する。図４では、端末機器はＵＥであり、第１のＲＡＴに対応するアクセスネットワーク機器はＬＴＥシステムにおけるアクセスネットワーク機器（ｅＮＢ）であり、第２のＲＡＴに対応するアクセスネットワーク機器はｇＮＢである。
【０１５０】
４１０では、ＵＥはＮＲを通じて５Ｇコアネットワークに登録される。
【０１５１】
４２０では、アプリケーションサーバは、ブロードキャスト設定メッセージをＵＥに送信する。
【０１５２】
ブロードキャスト設定メッセージは、ｓｅｒｖｉｃｅ  ＩＤ、ｓｅｒｖｉｃｅ  ＩＤに対応するＴＭＧＩ、周波数帯域、当該サービスがＥ−ＵＴＲＡＮでブロードキャスト情報を受信できるエリア、およびＮＲでブロードキャスト情報を受信できるエリアを含んでもよい。
【０１５３】
４３０では、ブロードキャスト情報を送信するためのベアラを、アプリケーションサーバとｅＮＢとの間に確立する。
【０１５４】
ブロードキャスト情報を送信するためのベアラを確立するプロセスにおいて、アプリケーションサーバは、ＵＥに送信されるべきブロードキャスト情報およびブロードキャスト情報を受信するＵＥのアイデンティティＵＥ  ＩＤがあることをＳＭＦに通知することができる。
【０１５５】
４４０では、ＳＭＦが通知メッセージをＡＭＦに送信する。
【０１５６】
当該通知メッセージは、ＵＥを区別する情報、指示情報、およびＵＥがブロードキャスト情報を受信できるエリアを含んでもよい。そのうち、ＵＥを区別する情報は、国際モバイルユーザ識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）およびＵＥ  ＩＤなどのＵＥのアイデンティティを含み得るが、これらに限定されない。
【０１５７】
ＡＭＦは、ＵＥ  ＩＤを通じてブロードキャスト情報を受信するＵＥを決定することができる。ＵＥがブロードキャスト情報を受信できるエリアは、ＵＥがＥ−ＵＴＲＡＮを使用してブロードキャスト情報を受信するエリアと、ＵＥがＮＲを使用してブロードキャスト情報を受信するエリアとを含んでもよく、あるいは、ＵＥがブロードキャスト情報を受信することができるエリアは、ＵＥがＥ−ＵＴＲＡＮを使用してブロードキャスト情報を受信するエリアのみを含んでもよい。
【０１５８】
４５０では、ＡＭＦは、ＵＥがアイドル状態にあるかどうかを判断し、ＵＥがアイドル状態にある場合、ＡＭＦはページングメッセージをＵＥに送信し、当該ページングメッセージが指示情報を含む。
【０１５９】
具体的には、まずＡＭＦは第１のページングメッセージをｅＮＢおよびｇＮＢに送信し、次にｅＮＢおよびｇＮＢは第２のページングメッセージをＵＥに送信する。あるいは、まずＡＭＦは第１のページングメッセージをｅＮＢに送信し、次にｅＮＢは第２のページングメッセージをＵＥに送信してもよい。そのうち、ＡＭＦが第１のページングメッセージを送信するエリアは、ＵＥがブロードキャスト情報を受信できるエリアと端末機器の登録エリアの両方に属する。
【０１６０】
４６０では、ＵＥは、Ｓｅｒｖｉｃｅ  ＲｅｑｕｅｓｔをＡＭＦに送信する。
【０１６１】
具体的には、ＵＥが第２のページングメッセージを受信した後、受信されるべきブロードキャスト情報があると決定した場合、ＵＥは、第２のページングメッセージに従ってブロードキャスト情報を受信するためにｅＮＢを選択することができる。
【０１６２】
選択的に、ブロードキャスト情報の受信に加えて、ＵＥがｅＮＢと他のサービス送信を行う場合、ＵＥはｅＮＢを介してＡＭＦにＳｅｒｖｉｃｅ  Ｒｅｑｕｅｓｔを送信し、ＵＥとｅＮＢ間の接続を確立することができる。
【０１６３】
理解すべきものとして、本願の実施例における具体的な例は、本願の実施例の範囲を限定するのではなく、当業者が本願の実施例をよりよく理解するのを助けるためだけのものである。
【０１６４】
他の可能な実施例では、端末機器が接続状態にあるとき、指示情報は、コアネットワーク機器によって送信される非アクセス層（Ｎｏｎ−ａｃｃｅｓｓ  ｓｔｒａｔｕｍ、ＮＡＳ）メッセージに含まれても良い。
【０１６５】
１つの実施形態では、ＡＭＦが、端末機器が接続状態にあると判断するとき、ＡＭＦは、ＮＡＳメッセージを端末機器に送信することができ、そのうち、当該ＮＡＳメッセージが指示情報を含む。
【０１６６】
端末機器が第１のＲＡＴに対応するアクセスネットワーク機器を介してコアネットワークに登録されている場合、端末機器は、コアネットワークに登録された第１のＲＡＴに対応するアクセスネットワーク機器を利用してブロードキャスト情報を受信することができる。
【０１６７】
あるいは、端末機器が第２のＲＡＴに対応するアクセスネットワーク機器を介してコアネットワークに登録され、端末機器が現時点でブロードキャスト情報を受信できる場合、端末機器はＡＭＦにＳｅｒｖｉｃｅ  Ｒｅｑｕｅｓｔを送信して、端末機器がブロードキャスト情報を受信できることをＡＭＦに通知することができ、よって、ＡＭＦは、第２のＲＡＴに対応するアクセスネットワーク機器に切り替え情報を送信することができ、切り替え情報は、第２のＲＡＴに対応するアクセスネットワーク機器が、第２のＲＡＴに対応するアクセスネットワーク機器のエリアから第１のＲＡＴに対応するアクセスネットワーク機器のエリアに切り替えるために、端末機器の切り替えをトリガーすることを指示するために使用される。
【０１６８】
第２のＲＡＴに対応するアクセスネットワーク機器は、切り替え情報を受信した後、測定設定情報を端末機器に送信でき、端末機器は、当該測定設定情報に基づいて、第１のＲＡＴに対応するアクセスネットワーク機器のエリア内のセルを測定し、測定結果を取得した後、第２のＲＡＴに対応するアクセスネットワーク機器に測定結果を報告し、第２のＲＡＴに対応するアクセスネットワーク機器は、測定結果に基づいて１つの第１のＲＡＴに対応するアクセスネットワーク機器を選択することができ、それによって、端末機器は、当該第１のＲＡＴに対応するアクセスネットワーク機器を利用してブロードキャスト情報を受信する。
【０１６９】
説明すべきものとして、端末機器は、ＮＡＳメッセージを受信しなく、Ｓｅｒｖｉｃｅ  ＲｅｑｕｅｓｔをＡＭＦに送信しない場合、第１のＲＡＴに対応するアクセスネットワーク機器に切り替えることができる。
【０１７０】
図５は、本願の実施例の１つの具体的な概略図を提供する。図５では、端末機器はＵＥであり、第１のＲＡＴに対応するアクセスネットワーク機器はｅＮＢであり、第２のＲＡＴに対応するアクセスネットワーク機器はｇＮＢである。
【０１７１】
５１０では、ＵＥは、ＮＲを通じて５Ｇコアネットワークに登録される。
【０１７２】
５２０では、Ｖ２Ｘアプリケーションサーバは、ブロードキャスト設定情報をＵＥに送信する。
【０１７３】
５３０では、ブロードキャスト情報を送信するためのベアラを、Ｖ２ＸアプリケーションサーバとｅＮＢとの間に確立する。
【０１７４】
５４０では、ＳＭＦは通知メッセージをＡＭＦに送信する。
【０１７５】
理解すべきものとして、５１０〜５４０の実施形態は、図４の４１０〜４２０の実施形態と同じであり、ここでは繰り返さない。
【０１７６】
５５０では、ＡＭＦは、ＵＥが接続状態にあるかどうかを判断し、ＵＥが接続状態にある場合、ＡＭＦはＮＡＳメッセージをＵＥに送信し、ＮＡＳメッセージに指示情報が載せられる。
【０１７７】
５６０では、ＵＥはＡＭＦにＳｅｒｖｉｃｅ  Ｒｅｑｕｅｓｔを送信する。
【０１７８】
ＵＥが現在ブロードキャスト情報を受信できる場合、ＵＥはＡＭＦにＳｅｒｖｉｃｅ  Ｒｅｑｕｅｓｔを送信して、自体がブロードキャスト情報を受信できることをＡＭＦに通知することができる。
【０１７９】
５７０では、ＡＭＦはｇＮＢに切り替え情報を送信する。
【０１８０】
切り替え情報は、ｇＮＢがＵＥをｅＮＢのエリアに切り替えることを指示するために使用することができる。
【０１８１】
ＡＭＦがＳｅｒｖｉｃｅ  Ｒｅｑｕｅｓｔを送信した後、ＡＭＦは、ｇＮＢに切り替え情報を送信して、ｇＮＢがＵＥをｅＮＢに切り替えることを指示することができる。
【０１８２】
５８０では、ｇＮＢはＵＥの切り替えをトリガーする。
【０１８３】
具体的には、切り替え情報を受信した後、ｇＮＢは、測定設定情報をＵＥに送信することができ、当該測定設定情報が、セル測定を行うＵＥの測定パラメータを含んでもよい。測定設定情報を受信した後、ＵＥは、当該測定パラメータに従って、ブロードキャスト情報を受信することができるエリア内のｅＮＢを測定することができ、測定結果を取る。その後、ＵＥは、測定結果をｇＮＢに報告し、ｇＮＢは、測定結果に基づいて１つのターゲットセルを選択することができ、それによって、ｇＮＢは、ＵＥをｅＮＢに切り替えることができる。
【０１８４】
本願の実施例では、端末機器が多種のＲＡＴに対応するアクセスネットワーク機器を介して同じコアネットワークにアクセスするとき、端末機器は、指示情報を通じて多種のアクセスネットワーク機器の中からネットワーク機器と通信するために使用されるアクセスネットワーク機器を決定することができ、それによって、端末機器とネットワーク側との間の通信が実現されることができる。さらに、多種のアクセスネットワーク機器から１つのアクセスネットワーク機器を選択することによって、端末機器とネットワーク側の間の通信の柔軟性を向上させることができる。
【０１８５】
図６は、本願の実施例による通信方法６００の概略フローチャートである。当該方法６００は、以下のコンテンツの少なくとも一部を含む。
【０１８６】
６１０では、コアネットワーク機器は、指示情報を端末機器に送信し、当該指示情報は、端末機器が第１のＲＡＴに対応するアクセスネットワーク機器を介してネットワーク側と通信することを指示するために使用される。
【０１８７】
コアネットワーク機器は、少なくとも２種のＲＡＴに対応するアクセスネットワーク機器に接続され、少なくとも２種のＲＡＴは、第１のＲＡＴを含む。
【０１８８】
１つの例として、コアネットワーク機器は、アプリケーションサーバ、Ｖ２Ｘ  ＣＦまたはＰＣＦであってもよい。
【０１８９】
１つの例として、コアネットワーク機器はＡＭＦであってもよい。
【０１９０】
コアネットワーク機器がＡＭＦである場合、選択的に、コアネットワーク機器が端末機器に指示情報を送信することは、ＡＭＦがＳＭＦから送信された指示情報を受信し、ＡＭＦが少なくとも１つのアクセスネットワーク機器を介して指示情報を端末機器に送信することを含んでもよい。
【０１９１】
選択的に、少なくとも１つのアクセスネットワーク機器は、第１のＲＡＴに対応するアクセスネットワーク機器を含んでもよい。
【０１９２】
選択的に、少なくとも１つのアクセスネットワーク機器は、端末機器の登録エリア内のすべての第１のＲＡＴに対応するアクセスネットワーク機器またはすべてのアクセスネットワーク機器である。
【０１９３】
選択的に、本願の実施例では、当該方法はさらに、現在端末機器にサービスを提供しているアクセスネットワーク機器に対応するＲＡＴが第１のＲＡＴでない場合、ＡＭＦが現在端末機器にサービスを提供しているアクセスネットワーク機器に切り替え情報を送信することを含んでもよく、切り替え情報は、現在端末機器にサービスを提供しているアクセスネットワーク機器が、端末機器にサービスを提供しているアクセスネットワーク機器から第１のＲＡＴに対応するアクセスネットワーク機器に切り替えるために、端末機器の切り替えをトリガーすることを指示するために使用されることを含んでもよい。
【０１９４】
選択的に、指示情報は、ページングメッセージまたはＮＡＳメッセージに含まれてもよい。
【０１９５】
選択的に、本願の実施例では、当該方法はさらに、コアネットワーク機器が端末機器にメッセージを送信することを含んでもよく、そのうち、コアネットワーク機器によって送信されたメッセージは、端末機器が第１のＲＡＴに対応するアクセスネットワーク機器を利用してネットワーク側と通信するエリアを示すために使用され、そのうち、ネットワーク機器はアプリケーションサーバであってもよい。
【０１９６】
選択的に、コアネットワーク機器によって送信されたメッセージは、当該指示情報を含んでもよい。
【０１９７】
理解すべきものとして、端末機器がコアネットワーク機器から受信することは、コアネットワーク機器が送信することを意味し、方法６００の具体的な実施形態は、方法３００の実施形態を参照することができ、ここでは詳細を説明しない。
【０１９８】
図７は、本願の実施例による通信方法７００の概略フローチャートである。当該方法７００は、以下のコンテンツの少なくとも一部を含む。
【０１９９】
７１０では、コアネットワーク機器は、指示情報をアクセスネットワーク機器に送信し、当該指示情報は、端末機器が第１のＲＡＴに対応するアクセスネットワーク機器を介してネットワーク側と通信することを指示するために使用される。
【０２００】
コアネットワーク機器は、少なくとも２種のＲＡＴに対応するアクセスネットワーク機器と接続され、当該少なくとも２種のＲＡＴが第１のＲＡＴを含む。
【０２０１】
選択的に、指示情報はページングメッセージに含まれる。
【０２０２】
選択的に、アクセスネットワーク機器は、端末機器の登録エリア内のすべての第１のＲＡＴに対応するアクセスネットワーク機器またはすべてのアクセスネットワーク機器である。
【０２０３】
選択的に、端末機器が接続状態にあるとき、アクセスネットワーク機器は、第１のＲＡＴ以外のＲＡＴに対応するアクセスネットワーク機器である。
【０２０４】
選択的に、本願の実施例では、当該方法はさらに、コアネットワーク機器がアクセスネットワーク機器にメッセージを送信し、当該メッセージは、端末機器がネットワーク側と通信するエリアを指示するために使用されることを含んでもよい。
【０２０５】
選択的に、コアネットワーク機器によって送信されたメッセージは指示情報を含んでもよい。
【０２０６】
７２０では、アクセスネットワーク機器は、コアネットワーク機器によって送信された指示情報を受信する。
【０２０７】
理解すべきものとして、方法７００の具体的な実現過程は、方法３００の実現過程を参照することができ、ここでは繰り返さない。
【０２０８】
さらに理解すべきものとして、本願の様々な実施例において、上記各プロセスのシーケンス番号のサイズは、実行順序の前後を意味するものではなく、各プロセスの実行順序は、本願の実施例の実現過程を限定するためのものではなく、その機能および固有の論理で決定されるべきである。
【０２０９】
上記では、本願の実施例による通信方法について詳細に説明したが、図８〜図９に関連して、本願の実施例に係る装置について説明し、方法の実施例に記載されている技術的特徴は、以下の装置の実施例に適用される。
【０２１０】
図８は、本願の実施例による端末機器８００の概略ブロック図を示す。図８に示すように、当該端末機器８００は、
指示情報を取得するための処理ユニット８１０であって、当該指示情報が、コアネットワーク機器によって当該端末機器８００に送信され、または当該指示情報が当該端末機器８００で事前設定され、当該指示情報が、当該端末機器８００が第１のＲＡＴに対応するアクセスネットワーク機器を介してネットワーク側と通信することを指示するために使用され、そのうち、コアネットワーク機器が少なくとも２種のＲＡＴに対応するアクセスネットワーク機器と接続され、当該端末機器７００が少なくとも２種のＲＡＴをサポートし、少なくとも２種のＲＡＴが第１のＲＡＴを含む処理ユニット８１０、および
当該第１のＲＡＴに対応するアクセスネットワーク機器を利用してネットワーク側と通信するための通信ユニット８２０を含む。
【０２１１】
選択的に、本願の実施例では、当該通信ユニット８２０は具体的に、第２のＲＡＴに対応するアクセスネットワーク機器との通信を維持しながら、当該第１のＲＡＴに対応するアクセスネットワーク機器を利用してネットワーク側と通信するために使用され、そのうち、少なくとも２種のＲＡＴが当該第２のＲＡＴを含む。
【０２１２】
選択的に、本願の実施例では、第２のＲＡＴに対応するアクセスネットワーク機器との通信に使用される周波数帯域は、第１のＲＡＴに対応するアクセスネットワーク機器との通信に使用される周波数帯域とは異なる。
【０２１３】
選択的に、本願の実施例では、当該指示情報がコアネットワーク機器によって当該端末機器８００に送信される場合、当該指示情報はページングメッセージに含まれる。
【０２１４】
選択的に、本願の実施例では、当該ページングメッセージが第１のＲＡＴに対応するアクセスネットワーク機器から送信される。
【０２１５】
選択的に、本願の実施例では、当該指示情報がコアネットワーク機器によって当該端末機器８００に送信される場合、当該指示情報はコアネットワーク機器によって送信されるＮＡＳメッセージに含まれる。
【０２１６】
選択的に、本願の実施例では、通信ユニット８２０は具体的に、処理ユニット８１０が、指示情報を取得した後、第１のＲＡＴに対応するアクセスネットワーク機器のみを選択してネットワーク側と通信するために使用される。
【０２１７】
選択的に、本願の実施例では、当該処理ユニット８１０はさらに、ネットワーク側と通信するためのエリアを決定し、当該エリアが当該第１のＲＡＴに対応する複数のアクセスネットワーク機器を含むために使用される。
【０２１８】
選択的に、本願の実施例では、当該通信ユニット８２０は具体的に、少なくとも１つのアクセスネットワーク機器の１つを利用して、ネットワーク側と通信するために使用される。
【０２１９】
選択的に、本願の実施例では、当該処理ユニット８１０は具体的に、事前設定またはコアネットワーク機器からのメッセージに基づいて当該エリアを決定するために使用される。
【０２２０】
選択的に、コアネットワーク機器からのメッセージは指示情報をさらに含む。
【０２２１】
理解すべきものとして、当該端末機器８００は、方法３００の端末機器に対応でき、当該方法３００の端末機器に対応する操作を実施することができる。簡潔のために、ここでは説明を省略する。
【０２２２】
図９は、本願の実施例のコアネットワーク機器９００の概略ブロック図を示す。図９に示すように、当該コアネットワーク機器９００は、
指示情報を端末機器に送信するための通信ユニット９１０を含み、当該指示情報は、当該端末機器が第１のＲＡＴに対応するアクセスネットワーク機器を介してネットワーク側と通信することを指示するために使用され、
コアネットワーク機器９００が少なくとも２種のＲＡＴに対応するアクセスネットワーク機器と接続され、当該少なくとも２種のＲＡＴが当該第１のＲＡＴを含む。
【０２２３】
選択的に、本願の実施例では、当該コアネットワーク機器９００はＡＭＦである。
【０２２４】
選択的に、本願の実施例では、当該通信ユニット９１０は具体的に、ＳＭＦによって送信される当該指示情報を受信し、少なくとも１つのアクセスネットワーク機器を介して当該指示情報を当該端末機器に送信するために使用される。
【０２２５】
選択的に、本願の実施例では、当該少なくとも１つのアクセスネットワーク機器は第１のＲＡＴに対応するアクセスネットワーク機器を含む。
【０２２６】
選択的に、本願の実施例では、当該少なくとも１つのアクセスネットワーク機器は、端末機器の登録エリア内のすべての第１のＲＡＴに対応するアクセスネットワーク機器またはすべてのアクセスネットワーク機器である。
【０２２７】
選択的に、本願の実施例では、当該通信ユニット９１０はさらに、現在端末機器にサービスを提供しているアクセスネットワーク機器に対応するＲＡＴが第１のＲＡＴでない場合、現在端末機器にサービスを提供しているアクセスネットワーク機器に切り替え情報を送信するために使用され、当該切り替え情報は、現在端末機器にサービスを提供しているアクセスネットワーク機器が、現在端末機器にサービスを提供しているアクセスネットワーク機器から第１のＲＡＴに対応するアクセスネットワーク機器に切り替えるために、端末機器の切り替えをトリガーすることを指示するために使用される。
【０２２８】
選択的に、本願の実施例では、当該指示情報はページングメッセージに含まれ、あるいは、当該指示情報はＮＡＳメッセージに含まれる。
【０２２９】
選択的に、本願の実施例では、当該通信ユニット９１０はさらに、端末機器にメッセージを送信するために使用され、当該メッセージは、端末機器がネットワーク側と通信するエリアを指示するために使用される。選択的に、当該ネットワーク機器が、アプリケーションサーバである。
【０２３０】
選択的に、本願の実施例では、当該メッセージは当該指示情報をさらに含む。
【０２３１】
理解すべきものとして、当該コアネットワーク機器９００は、方法６００のコアネットワーク機器に対応でき、当該方法６００のコアネットワーク機器に対応する操作を実施することができ、簡潔のために、ここでは説明を省略する。
【０２３２】
選択的に、本願の実施例では、当該通信ユニット９１０はさらに、アクセスネットワーク機器に指示情報を送信するために使用され、当該指示情報は、端末機器が第１のＲＡＴに対応するアクセスネットワーク機器を介してネットワーク側と通信することを指示するために使用される。
【０２３３】
当該コアネットワーク機器９００は、少なくとも２種のＲＡＴに対応するアクセスネットワーク機器と接続され、少なくとも２種のＲＡＴは前記第１のＲＡＴを含む。
【０２３４】
選択的に、本願の実施例では、指示情報はページングメッセージに含まれる。
【０２３５】
選択的に、本願の実施例では、アクセスネットワーク機器は、端末機器の登録エリア内のすべての第１のＲＡＴに対応するアクセスネットワーク機器またはすべてのアクセスネットワーク機器である。
【０２３６】
選択的に、本願の実施例では、端末機器が接続状態にあるとき、アクセスネットワーク機器は、第１のＲＡＴ以外のＲＡＴに対応するアクセスネットワーク機器である。
【０２３７】
選択的に、本願の実施例では、当該通信ユニット９１０はさらに、アクセスネットワーク機器にメッセージを送信するために使用され、当該メッセージは、端末機器がネットワーク側と通信するエリアを指示するために使用される。
【０２３８】
選択的に、本願の実施例では、当該メッセージは当該指示情報をさらに含む。
【０２３９】
理解すべきものとして、当該コアネットワーク機器９００は、方法７００のコアネットワーク機器に対応でき、当該方法７００のコアネットワーク機器に対応する操作を実施することができ、簡潔のために、ここでは説明を省略する。
【０２４０】
図１０は、本願の実施例のアクセスネットワーク機器１０００の概略ブロック図を示す。図１０に示すように、当該アクセスネットワーク機器１０００は、
コアネットワーク機器によって送信された指示情報を受信するための通信ユニット１０１０を含み、当該指示情報は、端末機器が第１のＲＡＴに対応するアクセスネットワーク機器を介してネットワーク側と通信することを指示するために使用され、
コアネットワーク機器が少なくとも２種のＲＡＴに対応するアクセスネットワーク機器と接続され、少なくとも２種のＲＡＴが前記第１のＲＡＴを含む。
【０２４１】
選択的に、本願の実施例では、当該指示情報はページングメッセージに含まれる。
【０２４２】
選択的に、本願の実施例では、当該アクセスネットワーク機器１０００が端末機器の登録エリア内のすべての第１のＲＡＴに対応するアクセスネットワーク機器またはすべてのアクセスネットワーク機器である。
【０２４３】
選択的に、本願の実施例では、端末機器が接続状態にある場合、当該アクセスネットワーク機器１０００が第１のＲＡＴ以外のＲＡＴに対応するアクセスネットワーク機器である。
【０２４４】
選択的に、本願の実施例では、当該通信ユニット１０１０はさらに、コアネットワーク機器によって送信されるメッセージを受信するために使用され、当該メッセージは端末機器がネットワーク側と通信するエリアを指示するために使用される。
【０２４５】
選択的に、本願の実施例では、当該メッセージは当該指示情報をさらに含む。
【０２４６】
理解すべきものとして、当該アクセスネットワーク機器１０００は、方法７００のアクセスネットワーク機器に対応でき、当該方法７００のアクセスネットワーク機器に対応する操作を実施することができ、簡潔のために、ここでは説明を省略する。
【０２４７】
図１１は、本願の実施例によって提供される１つの通信機器１１００の概略構造図である。図１１に示される通信機器１１００は、プロセッサ１１１０を含み、プロセッサ１１１０が、メモリからコンピュータプログラムを呼び出して実行して、本願の実施例における方法を実施することができる。
【０２４８】
選択的に、図１１に示されるように、通信機器１１００はさらにメモリ１１２０を含んでもよい。そのうち、プロセッサ１１１０は、メモリ１１２０からコンピュータプログラムを呼び出して実行して、本願の実施例における方法を実施することができる。
【０２４９】
メモリ１１２０は、プロセッサ１１１０から独立する別個のデバイスであってもよく、プロセッサ１１１０に集積されてもよい。
【０２５０】
選択的に、図１１に示されるように、通信機器１１００はさらにトランシーバ１１３０を含んでもよく、プロセッサ１１１０が当該トランシーバ１１３０を制御して他の機器と通信することができ、具体的には、他の機器に情報またはデータを送信し、または他の機器によって送信される情報またはデータを受信することができる。
【０２５１】
トランシーバ１１３０は送信機および受信機を含んでもよい。トランシーバ１１３０はさらに、アンテナを含んでもよく、アンテナの数は１つ以上であってもよい。
【０２５２】
選択的に、当該通信機器１１００は、具体的には、本願の実施例の端末機器であってもよく、当該通信機器１１００は、本願の実施例の各方法の端末装置によって実施される対応する流れを実施することができ、簡潔のために、ここでは説明を省略する。
【０２５３】
選択的に、当該通信機器１１００は、具体的には、本願の実施例のコアネットワーク機器であってもよく、当該通信機器１１００は、本願の実施例の各方法におけるコアネットワーク機器によって実施される対応する流れを実施することができ、簡潔のために、ここでは説明を省略する。
【０２５４】
選択的に、当該通信機器１１００は、具体的には、本願の実施例のアクセスネットワーク機器であってもよく、当該通信機器１１００は、本願の実施例の各方法におけるアクセスネットワーク機器によって実施される対応する流れを実施することができ、簡潔のために、ここでは説明を省略する。
【０２５５】
図１２は本願の実施例のチップの概略構造図である。図１２に示すチップ１２００は、プロセッサ１２１０を含み、プロセッサ１２１０が、メモリからコンピュータプログラムを呼び出して実行し、本願の実施例における方法を実施することができる。
【０２５６】
選択的に、図１２に示されるように、チップ１２００はさらに、メモリ１２２０を含んでもよい。そのうち、プロセッサ１２１０が、メモリ１２２０からコンピュータプログラムを呼び出して実行し、本願の実施例における方法を実施することができる。
【０２５７】
メモリ１２２０はプロセッサ１２１０から独立する別個のデバイスであってもよく、プロセッサ１２１０に集積されてもよい。
【０２５８】
選択的に、当該チップ１２００はさらに、入力インターフェース１２３０を含んでもよい。そのうち、プロセッサ１２１０は、当該入力インターフェース１２３０を制御して他の機器またはチップと通信することができ、具体的には、他の機器またはチップによって送信される情報またはデータを取得することができる。
【０２５９】
選択的に、当該チップ１２００はさらに、出力インターフェース１２４０を含んでもよい。そのうち、プロセッサ１２１０は、当該出力インターフェース１２４０を制御して他の機器またはチップと通信することができ、具体的には、他の機器またはチップに情報またはデータを出力することができる。
【０２６０】
選択的に、当該チップは本願の実施例の端末機器に適用することができ、当該チップは本願の実施例の各方法における端末機器によって実施される対応する流れを実施することができ、簡潔のために、ここでは説明を省略する。
【０２６１】
選択的に、当該チップは本願の実施例のコアネットワーク機器に適用することができ、当該チップは本願の実施例の各方法におけるコアネットワーク機器によって実施される対応する流れを実施することができ、簡潔のために、ここでは説明を省略する。
【０２６２】
選択的に、当該チップは本願の実施例におけるアクセスネットワーク機器に適用することができ、当該チップは本願の実施例の各方法におけるアクセスネットワーク機器によって実施される対応する流れを実施することができ、簡潔のために、ここでは説明を省略する。
【０２６３】
理解すべきものとして、本願の実施例で言及されるチップは、システムレベルチップ、システムチップ、チップシステムまたはシステムオンチップなどと呼ばれてもよい。
【０２６４】
理解すべきものとして、本願の実施例のプロセッサは信号処理能力を持つ集積回路チップである可能性がある。実現過程では、上記の方法の実施例の各ステップは、プロセッサにおけるハードウェアの集積ロジック回路またはソフトウェア形の命令によって完了することができる。上記のプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、現在プログラマブルゲートアレイ（Ｆｉｅｌｄ  Ｐｒｏｇｒａｍｍａｂｌｅ  Ｇａｔｅ  Ａｒｒａｙ、ＦＰＧＡ）またはこのほかのプログラマブルロジックデバイス、ディスクリートゲートまたはトランジスタロジックデバイス、個別のハードウェアコンポーネントなどであってもよい。本願の実施例における開示される各方法、ステップ及びロジックブロック図を実施し、又は実行することができる。汎用プロセッサが、マイクロプロセッサであってもよく、又は、当該プロセッサが、任意の従来のプロセッサなどであってもよい。本願の実施例と組み合わせて開示される方法のステップは、ハードウェアデコードプロセッサによる実行完了、又はデコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリ、又は電気的消去可能プログラマブルメモリ、及びレジスタなどの本分野における成熟した記憶媒体にあってよい。当該記憶媒体がメモリにあり、プロセッサがメモリ内の情報を読み取り、そのハードウェアを組み合わせて上記方法のステップを完了させる。
【０２６５】
理解すべきものとして、本願の実施例では、メモリは揮発性又は不揮発性メモリであってもよいし、又は揮発性と不揮発性メモリの両者を含んでもよい。そのうち、不揮発性メモリが読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能プログラマブル読み取り専用メモリ（Ｅｒａｓａｂｌｅ  ＰＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）、又はフラッシュメモリであってもよい。揮発性メモリがランダムアクセスメモリ（Ｒａｎｄｏｍ  Ａｃｃｅｓｓ  Ｍｅｍｏｒｙ、ＲＡＭ）であってもよく、外部キャッシュとして使用される。例示的であるが限定的ではない説明として、多くの形態のＲＡＭが利用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートの同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化された同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。注意すべきものとして、本明細書で説明されるシステム及び方法のメモリは、これら並びに任意の他の適切なタイプのメモリを含むことを意図しているが、これらに限定されない。
【０２６６】
理解すべきものとして、上記メモリは限定的説明ではなく、例示的なものであり、例えば、本願の実施例におけるメモリはさらに、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本願の実施例におけるメモリは、これら並びに任意の他の適切なタイプのメモリを含むことを意図しているが、これらに限定されない。
【０２６７】
図１３は、本願の実施例によって提供される通信システム１３００の概略ブロック図である。図１３に示されるように、当該通信システム１３００は、端末機器１３１０およびコアネットワーク機器１３２０を含む。
【０２６８】
当該端末機器１３１０は、上記の方法における端末機器によって実施される対応する機能を実施することができ、当該コアネットワーク機器１３２０は、上記の方法におけるコアネットワーク機器によって実施される対応する機能を実施することができ、簡潔のために、ここでは説明を省略する。
【０２６９】
図１４は、本願の実施例によって提供される通信システム１４００の概略ブロック図である。図１４に示されるように、当該通信システム１４００は、コアネットワーク機器１４１０およびアクセスネットワーク機器１４２０を含む。
【０２７０】
当該コアネットワーク機器１４１０は、上記の方法におけるコアネットワーク機器によって実施される対応する機能を実施することができ、当該アクセスネットワーク機器１４２０は、上記の方法におけるアクセスネットワーク機器によって実施される対応する機能を実施することができ、簡潔のために、ここでは説明を省略する。
【０２７１】
本願の実施例は、さらに、コンピュータプログラムを記憶するためのコンピュータ可読記憶媒体を提供する。
【０２７２】
選択的に、当該コンピュータ可読記憶媒体は本願の実施例の端末機器に適用することができ、当該コンピュータプログラムは、コンピュータに本願の実施例の各方法における端末機器によって実施される対応する流れを実行させ、簡潔のために、ここでは説明を省略する。
【０２７３】
選択的に、当該コンピュータ可読記憶媒体は、本願の実施例のコアネットワーク機器に適用することができ、当該コンピュータプログラムは、コンピュータに本願の実施例の各方法におけるコアネットワーク機器によって実施される対応する流れを実行させ、簡潔のために、ここでは説明を省略する。
【０２７４】
選択的に、当該コンピュータ可読記憶媒体は、本願の実施例のアクセスネットワーク機器に適用することができ、当該コンピュータプログラムは、コンピュータに本願の実施例の各方法におけるアクセスネットワークによって実施される対応する流れを実行させ、簡潔のために、ここでは説明を省略する。
【０２７５】
本願の実施例はさらに、コンピュータプログラム命令を含むコンピュータプログラム製品を提供する。
【０２７６】
選択的に、当該コンピュータプログラム製品は、本願の実施例の端末機器に適用することができ、当該コンピュータプログラム命令は、コンピュータに本願の実施例の各方法における端末機器によって実施される対応する流れを実行させ、簡潔のために、ここでは説明を省略する。
【０２７７】
選択的に、当該コンピュータプログラム製品は、本願の実施例のコアネットワーク機器に適用することができ、当該コンピュータプログラム命令は、コンピュータに本願の実施例の各方法におけるコアネットワーク機器によって実施される対応する流れを実行させ、簡潔のために、ここでは説明を省略する。
【０２７８】
選択的に、当該コンピュータプログラム製品は、本願の実施例のアクセスネットワーク機器に適用することができ、当該コンピュータプログラム命令は、コンピュータに本願の実施例の各方法におけるアクセスネットワーク機器によって実施される対応する流れを実行させ、簡潔のために、ここでは説明を省略する。
【０２７９】
本願の実施例はさらに、コンピュータプログラムを提供する。
【０２８０】
選択的に、当該コンピュータプログラムは、本願の実施例の端末機器に適用することができ、当該コンピュータプログラムがコンピュータ上で実行されるとき、コンピュータに本願の実施例の各方法における端末機器によって実施される対応する流れを実行させ、簡潔のために、ここでは説明を省略する。
【０２８１】
選択的に、当該コンピュータプログラムは、本願の実施例のコアネットワーク機器に適用することができ、当該コンピュータプログラムがコンピュータ上で実行されるとき、コンピュータに本願の実施例の各方法におけるコアネットワーク機器によって実施される対応する流れを実行させ、簡潔のために、ここでは説明を省略する。
【０２８２】
選択的に、当該コンピュータプログラムは、本願の実施例のアクセスネットワーク機器に適用することができ、当該コンピュータプログラムがコンピュータ上で実行されるとき、コンピュータに本願の実施例の各方法におけるアクセスネットワーク機器によって実施される対応する流れを実行させ、簡潔のために、ここでは説明を省略する。
【０２８３】
当業者は、本明細書で開示される実施例と組み合わせて説明される各例のユニット及びアルゴリズムステップが、電子ハードウェア、又はコンピュータソフトウェア及び電子ハードウェアの組み合わせによって実現されることができることを理解することができる。これらの機能がハードウェアで実行されるか、ソフトウェアで実行されるかは、技術的解決手段の特定のアプリケーションと設計上の制約条件に依存する。当業者は、特定のアプリケーションごとに説明された機能を実施させるために異なる方法を使用できるが、この種の実現は、本願の範囲を超えると見なされるべきではない。
【０２８４】
当業者は、説明の便宜と簡潔のために、上記説明されるシステム、装置、及びユニットの具体的な作業プロセスは、前述方法の実施例における対応するプロセスを参照することができると明確に理解することができ、ここでは説明を省略する。
【０２８５】
本願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインターフェース、装置又はユニットを介した間接的結合又は通信接続であってもよく、電気的形態、機械的形態又はその他の形態であってもよい。
【０２８６】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又はすべてのユニットを選択して本実施例手段の目的を達成することができる。
【０２８７】
また、本願の実施例における各機能ユニットが１つの処理ユニットに集積されてもよいが、各ユニットが単独で物理的な部品として存在するか、又は２つ以上のユニットが１つのユニットに集積されてもよい。
【０２８８】
前記機能が、ソフトウェア機能ユニットの形で実施され、独立した製品として販売または使用される場合、１つのコンピュータ読み取り可能な記憶媒体に記憶されることができる。このような理解に基づいて、本願の技術的解決手段は、本質的に、従来の技術に寄与する部分であるか、当該技術的解決手段の一部が、ソフトウェア製品の形で具現化されることができ、当該コンピュータソフトウェア製品は、１つの記憶媒体に記憶され、コンピュータデバイス（パーソナルコンピュータ、サーバ、又はネットワークデバイスなどであってもよい）に、本願の実施例で説明した方法のステップのすべて又は一部を実行させるためのいくつかの命令を含む。前述の記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又はコンパクトディスクなどのプログラムコードを記憶できるさまざまな媒体を含む。
【０２８９】
以上の内容は、本願の実施例の具体的実施形態にすぎず、本願の実施例の保護範囲はこれらに限定されず、当業者であれば、本願の実施例で開示される技術的範囲内に、容易に想像しうるすべての変更又は置換は、いずれも本願の実施例の保護範囲内に含まれるべきである。したがって、本願の実施例の保護範囲を、特許請求の範囲の保護範囲に従うものとする。
【図１】
2021534635.tif 000003
【図２】
2021534635.tif 000004
【図３】
2021534635.tif 000005
【図４】
2021534635.tif 000006
【図５】
2021534635.tif 000007
【図６】
2021534635.tif 000008
【図７】
2021534635.tif 000009
【図８】
2021534635.tif 000010
【図９】
2021534635.tif 000011
【図１０】
2021534635.tif 000012
【図１１】
2021534635.tif 000013
【図１２】
2021534635.tif 000014
【図１３】
2021534635.tif 000015
【図１４】
2021534635.tif 000016
【国際調査報告】
2021534635.tif 000017
2021534635.tif 000018
2021534635.tif 000019
2021534635.tif 000020